(57)【要約】      （修正有）【課題】調整可能なゴルフカップリング機構および関連する方法を有するゴルフクラブヘッドを提供する。【解決手段】外部ソール下端部１０１４１を含むソール１０１４と、該ソール１０１４に対向するクラウン１０１７と、ヒール部と、該ヒール部に対向するトウ部と、リア部と、該リア部に対向するとともに打面を含むフロント部と、ホーゼル１０１５とからなるクラブヘッド１０１と、シャフトスリーブ１１００を有するゴルフカップリング機構１０００により該ホーゼル１０１５に結合するゴルフクラブシャフト１０２と、を有するゴルフクラブとする。【選択図】図１
2019205850.tif 000002
【特許請求の範囲】
【請求項１】
ゴルフクラブヘッドであって、
ソール下端部を含むソール部と、前記ソール部に対向するトップ部と、ヒール部と、前記ヒール部に対向するトウ部と、リア部と、前記リア部に対向するフロント部であって、打面を含む前記フロント部と、ホーゼルと、を有するクラブヘッド本体と、
前記ホーゼルに挿入可能であり、ゴルフクラブシャフトを前記ホーゼルと結合するように構成されたシャフトスリーブと、を備えており、
前記ホーゼルは、前記シャフトスリーブを受け入れるように構成されたホーゼル穴を有しており、
前記シャフトスリーブは、
前記ゴルフクラブシャフトの端部を受け入れるように構成されたシャフト穴と、
スリーブ本体外壁と、前記スリーブ本体外壁にある少なくとも１つのカプラと、を有するシャフトスリーブ本体と、
前記シャフトスリーブ本体と結合されるように構成されたシャフトスリーブキャップと、を有しており、
前記シャフトスリーブが前記ホーゼル内に固定された状態で、前記ゴルフクラブヘッドがアドレス位置にあるとき、シャフトスリーブ重心が、前記ソール下端部に対して約４６．５ミリメートル以下のシャフトスリーブＣＧ垂直距離に位置する、
ゴルフクラブヘッド。
【請求項２】
前記シャフトスリーブ本体は、中間領域を有しており、
前記シャフトスリーブ本体は、スリーブ本体壁を有しており、
前記スリーブ本体壁は、前記中間領域において、約０．０２０インチの中間領域厚さを有する、請求項１に記載のゴルフクラブヘッド。
【請求項３】
前記シャフトスリーブ本体は、カプラ領域を有しており、
前記シャフトスリーブ本体は、スリーブ本体壁を有しており、
前記スリーブ本体壁は、前記カプラ領域において、前記スリーブ本体壁の最大厚さから前記スリーブ本体壁の最小厚さへと変化するカプラ領域厚さを有しており、
前記スリーブ本体壁の前記最大厚さは約０．７５インチ以下であり、
前記スリーブ本体壁の前記最小厚さは約０．０２０インチ以上である、請求項１に記載のゴルフクラブヘッド。
【請求項４】
前記ホーゼル穴は、前記少なくとも１つのカプラに係合するように構成された少なくとも１つのレシーバを有しており、
前記ホーゼル穴が前記シャフトスリーブを受け入れると、前記少なくとも１つのカプラは前記少なくとも１つのレシーバに係合して、前記ホーゼルに対する前記シャフトスリーブの回転を制限する、請求項１に記載のゴルフクラブヘッド。
【請求項５】
前記シャフトスリーブキャップは、前記シャフトスリーブ本体と着脱可能に結合されている、請求項１に記載のゴルフクラブヘッド。
【請求項６】
前記少なくとも１つのカプラは、複数のカプラを有しており、
前記複数のカプラは、第１のカプラ及び第２のカプラを有しており、
前記第１のカプラのカプラ長さは、前記第２のカプラのカプラ長さと同じである、請求項１に記載のゴルフクラブヘッド。
【請求項７】
前記少なくとも１つのカプラは、カプラ長さを有しており、
前記カプラ長さは、約０．２６０インチ以上、約０．３８インチ以下である、請求項１に記載のゴルフクラブヘッド。
【請求項８】
前記シャフトスリーブ本体は、受け入れ溝を有しており、
前記シャフトスリーブキャップは突出部を有しており、
前記シャフトスリーブ本体が前記シャフトスリーブキャップと結合されると、前記受け入れ溝が前記突出部を受け入れるように構成されている、請求項１に記載のゴルフクラブヘッド。
【請求項９】
前記シャフトスリーブキャップは、少なくとも１つのリブ及びキャップ壁を有しており、
前記少なくとも１つのリブは、前記シャフトスリーブキャップに確実に結合し、前記シャフトスリーブキャップを中央に位置決めするように構成されている、請求項１に記載のゴルフクラブヘッド。
【請求項１０】
前記シャフトスリーブキャップは、キャップ穴と、前記キャップ穴内へと延びる１つ以上のリブと、を有しており、
前記シャフト穴が前記ゴルフクラブシャフトの前記端部を受け入れると、前記１つ以上のリブが、前記ゴルフクラブシャフトを前記シャフト穴内において中央に位置決めする、請求項１に記載のゴルフクラブヘッド。
【請求項１１】
前記シャフトスリーブは、約４．５グラムのシャフトスリーブ質量を有するか、
前記シャフトスリーブ本体は、約４．１グラム以下のシャフトスリーブ本体質量を有するか、
前記シャフトスリーブキャップは、約０．３グラム以上、約１．０グラム以下のシャフトスリーブキャップ質量を有するか、
の少なくとも１つである、請求項１に記載のゴルフクラブヘッド。
【請求項１２】
前記ゴルフクラブヘッドは、前記シャフトスリーブを前記ホーゼルに結合するように構成された締結具を有しており、
前記シャフトスリーブキャップが前記シャフトスリーブ本体と結合され、前記締結具が前記シャフトスリーブを前記ホーゼルに固定しているときに、前記ゴルフクラブヘッドは組立後クラブヘッド質量を有し、
前記組立後クラブヘッド質量は、約１９９グラム以下である、請求項１に記載のゴルフクラブヘッド。
【請求項１３】
前記ゴルフクラブヘッドは、前記シャフトスリーブを前記ホーゼルに結合するように構成された締結具を有しており、
前記シャフトスリーブキャップが前記シャフトスリーブ本体と結合され、前記締結具が前記シャフトスリーブを前記ホーゼルに固定しているときに、前記ゴルフクラブヘッドは組立後クラブヘッド質量を有し、
前記シャフトスリーブは、シャフトスリーブ質量を有しており、
前記組立後クラブヘッド質量に対する前記シャフトスリーブ質量の比は約２．２％以下である、請求項１に記載のゴルフクラブヘッド。
【請求項１４】
前記ゴルフクラブヘッドは、分解後クラブヘッド質量を有しており、
前記シャフトスリーブは、シャフトスリーブ質量を有しており、
前記分解後クラブヘッド質量に対する前記シャフトスリーブ質量の比は約２．３％以下である、請求項１に記載のゴルフクラブヘッド。
【請求項１５】
前記シャフトスリーブＣＧ垂直距離は、前記ソール下端部に対して、約４５．３ミリメートル以下である、請求項１に記載のゴルフクラブヘッド。
【請求項１６】
前記シャフトスリーブ本体が前記シャフトスリーブキャップに結合されると、前記シャフトスリーブはシャフトスリーブ高さを有し、前記シャフトスリーブ高さが約１．７８インチ以上、約１．８２インチ以下であるか、
前記シャフトスリーブ本体が前記シャフトスリーブキャップに結合されると、前記シャフトスリーブはシャフトスリーブ本体高さを有し、前記シャフトスリーブ本体高さが約１．５２９インチ以上、約１．５６９インチ以下であるか、
前記シャフトスリーブ本体が前記シャフトスリーブキャップに結合されると、前記シャフトスリーブはシャフトスリーブキャップ高さを有し、前記シャフトスリーブキャップ高さが約０．４６インチ以上、約０．５０インチ以下であるか、
の少なくとも１つである、請求項１に記載のゴルフクラブヘッド。
【請求項１７】
前記シャフトスリーブキャップは、ソフトポリマープラスチックを含んでおり、前記ソフトポリマープラスチックは、ショアＤデュロメータスケールで５５以下であり得る、請求項１に記載のゴルフクラブヘッド。
【請求項１８】
ゴルフクラブヘッドであって、
ソール下端部を含むソール部と、前記ソール部に対向するトップ部と、ヒール部と、前記ヒール部に対向するトウ部と、リア部と、前記リア部に対向するフロント部であって、打面を含む前記フロント部と、ホーゼルと、
を有するクラブヘッド本体と、
前記ホーゼルに挿入可能であり、ゴルフクラブシャフトを前記ホーゼルと結合するように構成されたシャフトスリーブと、を備えており、
前記ホーゼルは、前記シャフトスリーブを受け入れるように構成されたホーゼル穴を有しており、
前記シャフトスリーブは、
前記ゴルフクラブシャフトの端部を受け入れるように構成されたシャフト穴と、
スリーブ本体外壁と、前記スリーブ本体外壁上の少なくとも１つのカプラと、を有するシャフトスリーブ本体と、
前記シャフトスリーブ本体と結合されるように構成されたシャフトスリーブキャップと、を有しており、
前記シャフトスリーブ本体は、中間領域及びスリーブ本体壁をさらに有しており、
前記シャフトスリーブは、約４．５グラムのシャフトスリーブ質量を有しており、
前記シャフトスリーブ本体は、約４．１グラム以下のシャフトスリーブ本体質量を有しており、
前記シャフトスリーブキャップは、キャップ穴と、前記キャップ穴内へと延びる１つ以上のリブと、を有しており、
前記シャフト穴が前記ゴルフクラブシャフトの前記端部を受け入れると、前記１つ以上のリブは、前記ゴルフクラブシャフトを前記シャフト穴内において中央に位置決めし、
前記シャフトスリーブキャップは、前記シャフトスリーブ本体と着脱可能に結合されており、
前記シャフトスリーブが前記ホーゼル内に固定された状態で前記ゴルフクラブヘッドがアドレス位置にあるとき、シャフトスリーブ重心が、前記ソール下端部に対して、約４３．５ミリメートル以上、約４７．０ミリメートル以下のシャフトスリーブＣＧ垂直距離に位置する、ゴルフクラブヘッド。
【請求項１９】
シャフトスリーブを用意するステップであって、
シャフトスリーブ本体を用意するステップと、
シャフトスリーブキャップを用意するステップと、を有する前記シャフトスリーブを用意するステップを備えており、
前記シャフトスリーブは、ゴルフクラブヘッドのホーゼルに挿入可能であるように構成され、ゴルフクラブシャフトを前記ホーゼルと結合するように構成されており、
前記ゴルフクラブヘッドは、
ソール下端部を含むソール部と、前記ソール部に対向するトップ部と、ヒール部と、前記ヒール部に対向するトウ部と、リア部と、前記リア部に対向するフロント部であって、打面を含む前記フロント部と、を有するゴルフクラブヘッド本体と、
前記ホーゼルと、を有しており、
前記ホーゼルは、前記シャフトスリーブを受け入れるように構成されたホーゼル穴を有しており、
前記シャフトスリーブは、
前記ゴルフクラブシャフトの端部を受け入れるように構成されたシャフト穴と、
スリーブ本体外壁と、前記スリーブ本体外壁上の少なくとも１つのカプラと、を有するシャフトスリーブ本体と、
前記シャフトスリーブ本体と結合されるように構成されたシャフトスリーブキャップと、を有しており、
前記シャフトスリーブが前記ホーゼル内に固定された状態で前記ゴルフクラブヘッドがアドレス位置にあるとき、シャフトスリーブ重心が、前記ソール下端部に対して、約４６．５ミリメートル以下のシャフトスリーブＣＧ垂直距離に位置する、方法。
【請求項２０】
前記ゴルフクラブヘッドを用意するステップと、
前記シャフトスリーブを前記ホーゼル穴に挿入するステップと、
前記ゴルフクラブシャフトを前記シャフト穴に挿入するステップと、
締結具によって、前記シャフトスリーブを前記ホーゼルに挿入するステップと、
前記シャフトスリーブキャップを前記シャフト穴に挿入するステップと
をさらに含む、請求項１９に記載の方法。
【発明の詳細な説明】
【技術分野】
【０００１】
（関連出願の相互参照）
本出願は、２０１５年１月２３日に出願の米国仮特許出願第６２／１０７，２４０号明細書、２０１５年１１月１１日に出願の米国仮特許出願第６２／２５４，０８１号明細書の利益を主張し、且つ２０１４年５月２０日に出願の米国特許出願第１４／２８２，７８６号明細書の一部継続出願である。米国特許出願第１４／２８２，７８６号明細書は、（ｉ）２０１３年３月１２日に出願の米国特許出願第１３／７９５，６５３号明細書、（ｉｉ）２０１２年３月２４日に出願の米国特許出願第１３／４２９，３１９号明細書、（ｉｉｉ）２０１２年５月１０日に出願の米国特許出願第１３／４６８，６６３号明細書、（ｉｖ）２０１２年５月１０日に出願の米国特許出願第１３／４６８，６７５号明細書、及び（ｖ）２０１３年１月７日に出願の米国特許出願第１３／７３５，１２３号明細書の一部継続出願である。
【０００２】
米国特許出願第１３／４２９，３１９号明細書は、２０１２年１月２４日に出願の米国仮特許出願第６１／５９０，２３２号明細書、及び２０１１年８月３１日に出願の米国仮特許出願第６１／５２９，８８０号明細書の利益を主張する。また、米国特許出願第１３／４６８，６６３号明細書、及び米国特許出願第１３／４６８，６７５号明細書は、それぞれ米国特許出願第１３／４２９，３１９号明細書の一部継続出願である。同様に、米国特許出願第１３／４６８，６７７号明細書は、米国特許出願第１３／４２９，３１９号明細書の継続出願である。
【０００３】
一方、米国特許出願第１３／７３５，１２３号明細書は、２０１２年５月１０日に出願の米国特許出願第１３／４６８，６６３号明細書、２０１２年５月１０日に出願の米国特許出願第１３／４６８，６７５号明細書、及び２０１５年５月１０日に出願の米国特許出願第１３／４６８，６７７号明細書の一部継続出願である。
【０００４】
米国仮特許出願第６２／１０７，２４０号明細書、米国仮特許出願第６２／２５４，０８１号明細書、米国特許出願第１４／２８２，７８６号明細書、米国特許出願第１３／７９５，６５３号明細書、米国特許出願第１３／４２９，３１９号明細書、米国特許出願第１３／４６８，６６３号明細書、米国特許出願第１３／４６８，６７５号明細書、米国特許出願第１３／７３５，１２３号明細書、米国特許出願第１３／４６８，６７７号明細書、米国仮特許出願第６１／５９０，２３２号明細書、及び米国仮特許出願第６１／５２９，８８０号明細書は、それぞれその内容全体が参照によって本明細書中に援用される。
【０００５】
本開示は、概して、スポーツ用具に関し、より具体的には、ゴルフカップリング機構及び関連する方法に関する。
【背景技術】
【０００６】
ゴルフ等のいくつかのスポーツでは、個人の特性もしくは好みに合わせて、選択可能な、又は特別に適合可能な特徴を備えた用具を必要とする。例えば、推奨されるクラブシャフトのタイプ、クラブヘッドのタイプ及び／又はクラブヘッドのロフト角もしくはライ角は、技能、年齢又は身長などの個人の特性に基づき異なる場合がある。しかしながら、一旦組み立てられると、ゴルフクラブは、通常、そのゴルフクラブシャフトとゴルフクラブヘッドとの間に、固定された変更不能なカップリング機構を有することとなる。したがって、個人に適した用具を決定する場合、クラブシャフト、クラブヘッド、ロフト角及び／又はライ角の様々な組み合わせを試すために、このような固定されたカップリング機構を備えるゴルフクラブを不必要に多く入手可能でなければならない。加えて、個人の特性又は好みが変化した場合、自らのゴルフ用具をこのような変化に対応するように調節することはできない。調節可能なカップリング機構は、このようなゴルフクラブの種々の特徴を変更可能に設定する柔軟性を提供するように構成され得るものの、ゴルフクラブヘッドとゴルフクラブシャフトのカップリングにおける結合の欠如又は応力集中につながる不安定さをもたらす可能性がある。上記を考慮すると、ゴルフカップリング機構及び関連する方法における更なる発展により、ゴルフクラブの有用性及び調整性の機能が高まるであろう。
【発明の概要】
【課題を解決するための手段】
【０００７】
本開示は、添付の図と併せて解釈される、以下の実施形態の例の詳細な説明を読むことによってより良く理解され得る。
【図面の簡単な説明】
【０００８】
【図１】本開示の一例による、ゴルフカップリング機構を有するゴルフクラブヘッドの前部斜視図を示す。
【図２】図１のゴルフカップリング機構を有するゴルフクラブヘッドの上部斜視図を示す。
【図３】シャフトスリーブがシャフトレシーバに挿入された状態のゴルフカップリング機構を示しており、図２の断面線ＩＩＩ−ＩＩＩに沿ったゴルフクラブヘッドの断面図を示す。
【図４】図２の断面線ＩＶ−ＩＶに沿ったゴルフクラブヘッド及びゴルフカップリング機構の断面図を示す。
【図５】ゴルフクラブヘッドから分離されたシャフトスリーブの側面図を示す。
【図６】図５の断面線ＶＩ−ＶＩに沿ったシャフトスリーブの断面図を示す。
【図７】図５の断面線ＶＩＩ−ＶＩＩに沿ったシャフトスリーブの断面図を示す。
【図８】シャフトスリーブをゴルフクラブヘッドから取り外した状態で、シャフトレシーバを上から示す図１のゴルフクラブヘッドの上面図を示す。
【図９】図２の断面線ＩＩＩ−ＩＩＩに沿った、シャフトスリーブをゴルフクラブヘッドから取り外した状態の図１のゴルフクラブヘッドの側部断面図を示す。
【図１０】シャフトスリーブのスリーブカプラセットの一部分の側面図を示す。
【図１１】シャフトレシーバのレシーバカプラセットの一部分の側部透視図を示す。
【図１２】図１〜図７及び図１０のシャフトスリーブに類似するシャフトスリーブのスリーブカプラセットの一部分の側面図を示す。
【図１３】図１〜図４、図８〜図９及び図１１のシャフトレシーバに類似するシャフトレシーバのレシーバカプラセットの一部分の側部透視図を示す。
【図１４】図４の断面線ＸＩＶ−ＸＩＶにおいて見た、第１の構成のゴルフカップリング機構の上部断面図を示す。
【図１５】図４の断面線ＸＩＶ−ＸＩＶにおいて見た、第２の構成のゴルフカップリング機構の上部断面図を示す。
【図１６】シャフトスリーブをゴルフカップリング機構から取り外した状態で、図４の線ＸＩＶ−ＸＩＶにおいて見た、第３の構成のゴルフカップリング機構の上部断面図を示す。
【図１７】シャフトスリーブをゴルフカップリング機構から取り外した状態で、図４の線ＸＩＶ−ＸＩＶにおいて見た、第４の構成のゴルフカップリング機構の上部断面図を示す。
【図１８】本開示による、ゴルフカプラ機構を提供し、形成し、及び／又は製造するために使用され得る方法のフローチャートを示す。
【図１９】異なるゴルフクラブヘッド１９１０及び１９２０の各ホーゼルの停滞抗力伴流領域（ｓｔａｇｎａｎｔ  ｄｒａｇ  ｗａｋｅ  ａｒｅａ）の比較を示す。
【図２０】図１９のゴルフクラブヘッドのホーゼル直径に関する、オープンフェース角の関数としての抗力のチャートを示す。
【図２１】一実施形態による、ゴルフカップリング機構を有するゴルフクラブヘッドの前部斜視図を示す。
【図２２】図２１の実施形態による、ゴルフクラブヘッドから分離されたゴルフクラブヘッドのゴルフカップリング機構のシャフトスリーブの側面図を示す。
【図２３】図２１の実施形態による、図２２の線ＸＸＩＩＩ−ＸＸＩＩＩに沿ったシャフトスリーブの断面図を示す。
【図２４】図２１の実施形態による、シャフトスリーブのシャフトスリーブキャップから分離されたシャフトスリーブのシャフトスリーブ本体の側面図を示す。
【図２５】図２１の実施形態による、シャフトスリーブ本体から分離されたシャフトスリーブキャップの側面図を示す。
【図２６】図２１の実施形態による、シャフトスリーブ本体から分離されたシャフトスリーブキャップの立面図を示す。
【図２７】一実施形態による方法のフローチャートを示す。
【図２８】図２７の実施形態による、シャフトスリーブを用意する例示的な作業を示す。
【図２９】一実施形態による、ゴルフカップリング機構を有するゴルフクラブヘッドの前部斜視図を示す。
【図３０】図２９の実施形態による、ゴルフクラブヘッドから分離されたゴルフクラブヘッドのゴルフカップリング機構のシャフトスリーブの側面図を示す。
【図３１】図２９の実施形態による、図３０の線ＸＸＸＩＩＩ−ＸＸＸＩＩＩに沿ったシャフトスリーブの断面図を示す。
【図３２】図２９の実施形態による、シャフトスリーブのシャフトスリーブキャップから分離されたシャフトスリーブのシャフトスリーブ本体の側面図を示す。
【図３３Ａ】図２９の実施形態による、シャフトスリーブ本体から分離されたシャフトスリーブキャップの側面図を示す。
【図３３Ｂ】図２９の実施形態による、シャフトスリーブ本体から分離されたシャフトスリーブキャップの上部有角図を示す。
【図３４】図２９の実施形態による、図３３Ｂの線ＸＬＶＶ−ＸＬＶＶに沿ったシャフトスリーブキャップの断面図を示す。
【図３５Ａ】図２９の実施形態による、シャフトスリーブ本体から分離されたシャフトスリーブキャップの上面図を示す。
【図３５Ｂ】図２９の実施形態による、ゴルフヘッドから分離されたシャフトスリーブ本体の上面図を示す。
【図３６】一実施形態による方法のフローチャートを示す。
【図３７】図３５の実施形態による、シャフトスリーブを用意する例示的な作業を示す。
【発明を実施するための形態】
【０００９】
図の簡略化及び明確化のため、図面は一般的な構造を示し、本開示を不必要に不明瞭にするのを避けるために既知の特徴及び技術の説明及び詳細は省略される場合がある。加えて、図面中の要素は必ずしも一定の縮尺で描かれない。例えば、本開示の実施形態の理解の向上を促進するために、図の要素のいくつかの寸法は他の要素に対して誇張される場合がある。異なる図における同一の参照符号は同一の要素を示す。
【００１０】
本明細書及び特許請求の範囲において「第１の」、「第２の」、「第３の」、「第４の」等の用語がある場合、類似の要素間を区別するために使用され、必ずしも特定の連続的又は時系列順序を示すためのものではない。このように使用される用語は、本明細書中に記載される実施形態が、例えば、本明細書中に図示されているか又はそれ以外で記載されている順序以外の順序で動作可能であるように、適切な状況下で交換可能であることが理解されるべきである。更に、用語「含む」及び「有する」並びにこれらの任意の変化形は非排他的な包含を含むものとし、要素の列挙を含むプロセス、方法、システム、物品、デバイス又は装置はこれらの要素に必ずしも限定されず、明示的に記載されないか、又はこのようなプロセス、方法、システム、物品、デバイスもしくは装置に固有でない他の要素を含んでもよい。
【００１１】
本明細書及び特許請求の範囲に「左」、「右」、「前」、「後」、「上部」、「下部」、「上」、「下」等の用語がある場合、説明のために使用するものであり、永久的な相対位置を必ずしも説明するためのものではない。このように使用される用語は、本明細書中に記載される装置、方法及び／又は製造物品の実施形態が、例えば、本明細書中で図示されているか又はそれ以外で記載されている向き以外の向きで動作可能であるように、適切な状況下で交換可能であることが理解されるべきである。
【００１２】
「結合する（ｃｏｕｐｌｅ）」、「結合される」、「結合する（ｃｏｕｐｌｅｓ）」、「結合している」等の用語は広く理解されるべきであり、２つ以上の要素を機械的に又はそれ以外の手法で接続することを意味するべきである。結合（機械的又はそれ以外を問わず）は、あらゆる時間の長さ、例えば、永久又は半永久又はわずか一瞬であってもよい。
【００１３】
「結合される」等の語の近傍に「着脱可能に」、「着脱可能な」等の語がないことは、対象の結合等が着脱可能であるか又は着脱可能でないことを意味するものではない。
【００１４】
本明細書中に定義されるように、２つ以上の要素が同一の構成部分を含む場合、それらは「一体である」。本明細書中に定義されるように、２つ以上の要素は、それぞれが異なる構成部分を含む場合には「一体でない」。
【００１５】
いくつかの実施形態はゴルフクラブヘッドを含む。ゴルフクラブヘッドはクラブヘッド本体を有し、ゴルフクラブヘッド本体は、ソール下端部を含むソール部と、ソール部に対向するトップ部と、ヒール部と、ヒール部に対向するトウ部と、リア部と、リア部に対向するフロント部と、ホーゼルと、を有する。また、フロント部は打面を有する。ゴルフクラブヘッドは、また、ホーゼルに挿入可能であり、ゴルフクラブシャフトをホーゼルと結合するように構成されたシャフトスリーブを有する。ホーゼルは、シャフトスリーブを受け入れるように構成されたホーゼル穴を有してもよい。一方、シャフトスリーブは、（ｉ）ゴルフクラブシャフトの端部を受け入れるように構成されたシャフト穴と、（ｉｉ）スリーブ本体外壁と、スリーブ本体外壁にある少なくとも１つのカプラと、を有するシャフトスリーブ本体と、（ｉｉｉ）シャフトスリーブ本体と結合されるように構成されたシャフトスリーブキャップと、を有する。シャフトスリーブがホーゼル内に固定された状態でゴルフクラブヘッドがアドレス位置にあるとき、シャフトスリーブ重心が、ソール下端部に対して約４６ミリメートル以下のシャフトスリーブＣＧ垂直距離に位置してもよい。
【００１６】
これら又は他の実施形態では、シャフトスリーブ本体は中間領域を有してもよく、シャフトスリーブ本体はスリーブ本体壁を有してもよく、スリーブ本体壁は、中間領域において約０．０２０インチの中間領域厚さを有してもよい。
【００１７】
これら又は他の実施形態では、シャフトスリーブ本体はカプラ領域を有してもよく、シャフトスリーブ本体はスリーブ本体壁を有してもよく、スリーブ本体壁は、カプラ領域において、スリーブ本体壁の最大厚さからスリーブ本体壁の最小厚さへと変化するカプラ領域厚さを有してもよく、スリーブ本体壁の最大厚さは約０．７５インチ以下であってもよく、スリーブ本体壁の最小厚さは約０．０２０インチ以上であってもよい。
【００１８】
これら又は他の実施形態では、ホーゼル穴は、少なくとも１つのカプラに係合するように構成された少なくとも１つのレシーバを有してもよく、ホーゼル穴がシャフトスリーブを受け入れると、少なくとも１つのカプラは少なくとも１つのレシーバに係合して、ホーゼルに対するシャフトスリーブの回転を制限してもよい。
【００１９】
これら又は他の実施形態では、シャフトスリーブキャップはシャフトスリーブ本体と着脱可能に結合されてもよい。
【００２０】
これら又は他の実施形態では、少なくとも１つのカプラは複数のカプラを有してもよく、複数のカプラは第１のカプラ及び第２のカプラを有してもよく、第１のカプラのカプラ長さは第２のカプラのカプラ長さと異なってもよい。
【００２１】
これら又は他の実施形態では、少なくとも１つのカプラはカプラ長さを有してもよく、カプラ長さは約０．２６０インチ以上、約０．３８インチ以下であってもよい。
【００２２】
これら又は他の実施形態では、シャフトスリーブ本体は受け入れ溝を有してもよく、シャフトスリーブキャップは突出部を有してもよく、シャフトスリーブ本体がシャフトスリーブキャップと結合されると、受け入れ溝が突出部を受け入れるように構成されてもよい。
【００２３】
これら又は他の実施形態では、シャフトスリーブキャップは少なくとも１つのスリット及びキャップ壁を有してもよく、少なくとも１つのスリットは、キャップ壁が軸方向に圧縮することを可能にするように構成されてもよい。
【００２４】
これら又は他の実施形態では、シャフトスリーブキャップは、キャップ穴と、キャップ穴内へと延びる１つ以上のリブと、を有してもよく、シャフト穴がゴルフクラブシャフトの端部を受け入れると、１つ以上のリブがゴルフクラブシャフトをシャフト穴内において中央に位置決めしてもよい。
【００２５】
これら又は他の実施形態では、シャフトスリーブは約４．５グラムのシャフトスリーブ質量を有してもよく、シャフトスリーブ本体は約４．１グラム以下のシャフトスリーブ本体質量を有してもよく、及び／又はシャフトスリーブキャップは約０．３グラム以上、約１．０グラム以下のシャフトスリーブキャップ質量を有してもよい。
【００２６】
これら又は他の実施形態では、ゴルフクラブヘッドはシャフトスリーブをホーゼルに結合するように構成された締結具を有してもよく、シャフトスリーブキャップがシャフトスリーブ本体と結合され、締結具がシャフトスリーブをホーゼルに固定しているときに、ゴルフクラブヘッドは組立後クラブヘッド質量を有してもよく、組立後クラブヘッド質量は約１９９グラム以下であってもよい。
【００２７】
これら又は他の実施形態では、ゴルフクラブヘッドはシャフトスリーブをホーゼルに結合するように構成された締結具を有してもよく、シャフトスリーブキャップがシャフトスリーブ本体と結合され、締結具がシャフトスリーブをホーゼルに固定しているときに、ゴルフクラブヘッドは組立後クラブヘッド質量を有してもよく、シャフトスリーブはシャフトスリーブ質量を有してもよく、組立後クラブヘッド質量に対するシャフトスリーブ質量の比は約２．２％以下であってもよい。
【００２８】
これら又は他の実施形態では、ゴルフクラブヘッドは分解後クラブヘッド質量を有してもよく、シャフトスリーブはシャフトスリーブ質量を有してもよく、分解後クラブヘッド質量に対するシャフトスリーブ質量の比は約２．２％以下であってもよい。
【００２９】
これら又は他の実施形態では、シャフトスリーブＣＧ垂直距離は、ソール下端部に対して約４５．３ミリメートル以上であってもよい。
【００３０】
これら又は他の実施形態では、シャフトスリーブ本体がシャフトスリーブキャップに結合されると、シャフトスリーブはシャフトスリーブ高さを有し、シャフトスリーブ高さは約１．７８インチ以上、約１．８２インチ以下であってもよい。シャフトスリーブ本体がシャフトスリーブキャップに結合されると、シャフトスリーブはシャフトスリーブ本体高さを有し、シャフトスリーブ本体高さは約１．５２９インチ以上、約１．５６９インチ以下であってもよく、及び／又はシャフトスリーブ本体がシャフトスリーブキャップに結合されると、シャフトスリーブはシャフトスリーブキャップ高さを有し、シャフトスリーブキャップ高さは約０．４６インチ以上、約０．５０インチ以下であってもよい。
【００３１】
更なる実施形態はゴルフクラブヘッドを含む。ゴルフクラブヘッドはクラブヘッド本体を有し、ゴルフクラブヘッド本体は、ソール下端部を含むソール部と、ソール部に対向するトップ部と、ヒール部と、ヒール部に対向するトウ部と、リア部と、リア部に対向するフロント部と、ホーゼルと、を有する。また、フロント部は打面を有する。ゴルフクラブヘッドは、また、ホーゼルに挿入可能であり、ゴルフクラブシャフトをホーゼルと結合するように構成されたシャフトスリーブを有する。一方、ホーゼルは、シャフトスリーブを受け入れるように構成されたホーゼル穴を有してもよい。一方、シャフトスリーブは、（ｉ）ゴルフクラブシャフトの端部を受け入れるように構成されたシャフト穴と、（ｉｉ）スリーブ本体外壁と、スリーブ本体外壁上の少なくとも１つのカプラと、を有するシャフトスリーブ本体と、（ｉｉｉ）シャフトスリーブ本体と結合されるように構成されたシャフトスリーブキャップと、を有してもよい。シャフトスリーブ本体は、中間領域及びスリーブ本体壁をさらに有してもよい。また、シャフトスリーブは約４．３グラムのシャフトスリーブ質量を有してもよい。これらの実施形態では、シャフトスリーブ本体は約３．８グラム以下のシャフトスリーブ本体質量を有してもよい。また、シャフトスリーブキャップは、キャップ穴と、キャップ穴に入る１つ以上のリブと、を有することができ、シャフト穴がゴルフクラブシャフトの端部を受け入れると、１つ以上のリブは、ゴルフクラブシャフトをシャフト穴内において中央に位置決めすることができる。種々の実施形態では、シャフトスリーブキャップはシャフトスリーブ本体と着脱可能に結合されてもよい。更にまた、シャフトスリーブがホーゼル内に固定された状態でゴルフクラブヘッドがアドレス位置にあるとき、シャフトスリーブ重心が、ソール下端部に対して約４３．５ミリメートル以上、約４７ミリメートル以下のシャフトスリーブＣＧ垂直距離に位置してもよい。
【００３２】
他の実施形態は方法を有する。方法は、シャフトスリーブを用意するステップを有してもよい。一方、シャフトスリーブを用意するステップは、シャフトスリーブ本体を用意するステップと、シャフトスリーブキャップを用意するステップと、を有してもよい。また、シャフトスリーブは、ゴルフクラブヘッドのホーゼルに挿入可能であるように構成することができ、ゴルフクラブシャフトをホーゼルと結合するように構成することができる。同様に、ゴルフクラブヘッドは、ゴルフクラブヘッド本体及びホーゼルを含むことができ、ゴルフクラブヘッド本体は、ソール下端部を含むソール部と、ソール部に対向するトップ部と、ヒール部と、ヒール部に対向するトウ部と、リア部と、リア部に対向するフロント部とを有してもよい。フロント部は打面を有してもよい。更にまた、ホーゼルは、シャフトスリーブを受け入れるように構成されたホーゼル穴を有してもよい。また、シャフトスリーブは、（ｉ）ゴルフクラブシャフトの端部を受け入れるように構成されたシャフト穴と、（ｉｉ）スリーブ本体外壁と、スリーブ本体外壁上の少なくとも１つのカプラと、を有するシャフトスリーブ本体と、（ｉｉｉ）シャフトスリーブ本体と結合されるように構成されたシャフトスリーブキャップと、を有してもよい。シャフトスリーブがホーゼル内に固定された状態でゴルフクラブヘッドがアドレス位置にあるとき、シャフトスリーブ重心が、ソール下端部に対して約４６ミリメートル以下のシャフトスリーブＣＧ垂直距離に位置してもよい。
【００３３】
本明細書中では他の例及び実施形態を更に開示する。このような例及び実施形態は、図、特許請求の範囲及び／又は本明細書に記載され得る。
【００３４】
図面を参照すると、図１は、本開示の一例による、ゴルフカップリング機構１０００を有するゴルフクラブヘッド１０１の前部斜視図を示す。図２は、ゴルフカップリング機構１０００を有するゴルフクラブヘッド１０１の上部斜視図を示す。図３は、シャフトスリーブ１１００がシャフトレシーバ３２００に挿入されたゴルフカップリング機構１０００を示す、図２の線ＩＩＩ−ＩＩＩに沿ったゴルフクラブヘッド１０１の断面図を示す。図４は、図２の線ＩＶ−ＩＶに沿ったゴルフクラブヘッド１０１及びゴルフカップリング機構１０００の断面図を示す。
【００３５】
本実施形態では、ゴルフカップリング機構１０００は、ゴルフクラブシャフト１０２（図１）などのゴルフクラブシャフトの端部に結合されるように構成されたシャフトスリーブ１１００を有する。図５は、ゴルフクラブヘッド１０１（図１）から分離されたシャフトスリーブ１１００の側面図を示す。図６は、図５の線ＶＩ−ＶＩに沿ったシャフトスリーブ１１００の断面図を示す。本実施例では、シャフトスリーブ１１００は、ゴルフクラブシャフト１０２の端部を受け入れるように構成されたシャフト穴３１２０を有する。シャフトスリーブ１１００は、また、シャフトスリーブ１１００の長手方向中心線に沿って、スリーブ上端部１１９１からスリーブ下端部３１９２まで延びるスリーブ軸５１５０を有する。本実施例では、スリーブ外壁３１３０の少なくとも一部分がスリーブ軸５１５０に実質的に平行であるように、スリーブ外壁３１３０は直角円筒（ｒｉｇｈｔ  ａｎｇｌｅ  ｃｙｌｉｎｄｅｒ）であり、スリーブ外壁３１３０はスリーブ外壁３１３０内でシャフト穴３１２０に境を接している。換言すると、本実施形態では、スリーブ軸５１５０はスリーブ外壁３１３０の中心である。本実施例では、シャフト穴３１２０はシャフト穴軸６１５０と同軸上に延在し、スリーブ軸５１５０に対して角度を成し、したがって、スリーブ軸５１５０と非同軸である。本実施例では、シャフト穴軸６１５０はスリーブ軸５１５０から約０．５度の角度を成しているが、このような角度がスリーブ軸５１５０に対して約０．２度〜約４度のものであるような例があってもよい。したがって、この実施形態では、シャフト穴３２１０とスリーブ外壁３１３０とは同心ではない。しかしながら、スリーブ外壁３１３０とシャフト穴３１２０とが実質的に同心であり得るように、シャフト穴軸６１５０がスリーブ軸５１５０と実質的に同一線上にあり得る他の実施形態があってもよい。
【００３６】
シャフトスリーブ１１００は、スリーブ外壁３１３０から突出している１つ以上のカプラを有するスリーブカプラセット３１１０を有する。図７は、図５の線ＶＩＩ−ＶＩＩに沿ってスリーブカプラセット３１１０を切ったシャフトスリーブ１１００の断面図を示す。図３〜図７は、スリーブ外壁３１３０から突出しているスリーブカプラセット３１１０の異なる図を示す。本実施例では、スリーブカプラセット３１１０は、スリーブ外壁３１３０から突出しているスリーブカプラ３１１１、３１１２、５１１６及び７１１５を有しており、スリーブ外壁３１３０の外周部７１９１に沿って、スリーブカプラ３１１２はスリーブカプラ３１１１に対向して配置されており、スリーブカプラ７１１５はスリーブカプラ５１１６に対向して配置されている。図７から分かるように、本実施形態では、スリーブカプラセット３１１０は、交互する凹状面と凸状面とを外周部７１９１に形成する。
【００３７】
スリーブカプラセット３１１０のスリーブカプラは、シャフトスリーブ１１００がシャフトレシーバ３２００に挿入され、固定されると、ゴルフクラブヘッド１０１に対するシャフトスリーブ１１００の回転を制限するように構成された弓状面を有する。例えば、図３、図５及び図７に見られるように、（ａ）スリーブカプラ３１１１は、スリーブカプラ３１１１の外部領域の全体にわたり湾曲した弓状面３１５１を有し、（ｂ）スリーブカプラ３１１２は、スリーブカプラ３１１２の外部領域全体にわたり湾曲した弓状面３１５２を有し、（ｃ）スリーブカプラ５１１６は、スリーブカプラ５１１６の外部領域全体にわたり湾曲した弓状面５１５６を有し、（ｄ）スリーブカプラ７１１５は、スリーブカプラ７１１５の外部領域の全体にわたり湾曲した弓状面７１５５を有する。
【００３８】
ゴルフカップリング機構１０００は、また、図３〜図４に見られるように、シャフトスリーブ１１００を受け入れるように構成されたシャフトレシーバ３２００を有する。図８は、シャフトレシーバ３２００を上から示す、シャフトスリーブ１１００をゴルフクラブヘッド１０１から取り外した状態のゴルフクラブヘッド１０１の上面図を示す。図９は、シャフトスリーブ１１００をゴルフクラブヘッド１０１から取り外した状態で、図２の線ＩＩＩ−ＩＩＩに沿った、シャフトレシーバ３２００の側部断面を示すゴルフクラブヘッド１０１の断面側面図を示す。
【００３９】
本実施例では、シャフトレシーバ３２００は、クラブヘッド１０１のホーゼル１０１５と一体化されているものの、シャフトレシーバ３２００がホーゼル１０１５とは別個であり、例えば、接着剤、ねじ山機構及び／又はボルトもしくはリベットのような、１つ以上の締結方法によりホーゼル１０１５に結合され得る実施形態があってもよい。同じ又は他の実施形態では、ホーゼル及びシャフトレシーバという用語は区別なく使用してもよい。ゴルフクラブヘッド１０１が、ホーゼル１０１５よりもむしろそのクラウン部又はトップ部内にヘッド穴を有し得る実施形態があってもよい。このような実施形態では、シャフトレシーバ３２００は、また、このようなヘッド穴の一部であっても、このようなヘッド穴に結合されていてもよい。
【００４０】
シャフトスリーブ１１００は、シャフトレシーバ３２００に挿入されるように構成されており、いくつかの部分に細分されてもよい。例えば、シャフトスリーブ１１００は、スリーブ外壁３１３０によって境を接しているスリーブ挿入部３１６０を有し、シャフトスリーブ１１００がシャフトレシーバ３２００内に固定されたとき、シャフトレシーバ３２００内にあるように構成されている。本実施例では、シャフトスリーブ１１００は、また、シャフトスリーブ１１００がシャフトレシーバ３２００内に固定されたとき、シャフトレシーバ３２００の外部にとどまるように構成されたスリーブトップ部３１７０を有する。しかしながら、スリーブトップ部３１７０がない、及び／又はシャフトスリーブ１１００に類似するが、その全体がシャフトレシーバ３２００に挿入されるように構成されたシャフトスリーブを有する他の例もあってもよい。
【００４１】
シャフトレシーバ３２００はホーゼル外壁３２４０を有し、シャフトレシーバ３２００に挿入されると、シャフトスリーブ１１００のスリーブ挿入部３１６０及びスリーブ外壁３１３０に境を接するように構成されたレシーバ内壁３２３０を有する。シャフトレシーバ３２００は、また、シャフトスリーブ１１００のカプラセット３１１０に係合し、シャフトレシーバ３２００に対するシャフトスリーブ１１００の回転を制限するように構成されたレシーバカプラセット３２１０を有する。図８に見られるように本実施形態では、レシーバカプラセット３２１０は、レシーバ内壁３２３０に凹設されたレシーバカプラ３２１３、３２１４、８２１７及び８２１８を有し、レシーバカプラ３２１３はレシーバカプラ３２１４に対向し、レシーバカプラ８２１８はレシーバカプラ８２１７に対向している。
【００４２】
シャフトレシーバ３２００内のレシーバカプラセット３２１０のレシーバカプラは、シャフトスリーブ１１００のスリーブカプラセット３１１０の弓状面と相補的な弓状面を有する。例えば、（ａ）レシーバカプラ３２１３は、レシーバカプラ３２１３の内部領域の全体にわたり湾曲した弓状面３２５３を有し（図８）、レシーバカプラ３２１３の弓状面３２５３はスリーブカプラ３１１１の弓状面３１５１と相補的であり（図７）、（ｂ）レシーバカプラ３２１４は、レシーバカプラ３２１４の内部領域の全体にわたり湾曲した弓状面３２５４を有し（図８）、レシーバカプラ３２１４の弓状面３２５４はスリーブカプラ３１１２の弓状面３１５２と相補的であり（図７）、（ｃ）レシーバカプラ８２１７は、レシーバカプラ８２１７の内部領域の全体にわたり湾曲した弓状面８２５７を有し（図８）、レシーバカプラ８２１７の弓状面８２５７はスリーブカプラ７１１５の弓状面７１５５と相補的であり（図７）、（ｄ）レシーバカプラ８２１８は、レシーバカプラ８２１８の内部領域の全体にわたり湾曲した弓状面８２５８を有し（図８）、レシーバカプラ８２１８の弓状面８２５８はスリーブカプラ５１１６の弓状面５１５６と相補的である（図７）。
【００４３】
本実施形態では、スリーブカプラセット３１１０の弓状面及びレシーバカプラセット３２１０の弓状面は、それら各々のスリーブカプラ及びレシーバカプラの全体にわたり湾曲している。図１０は、シャフトスリーブ１１００の一部分及びスリーブカプラセット３１１０の側面図を示す。図１１は、シャフトレシーバ３２００の一部分及びレシーバカプラセット３２１０の側部透視図を示す。図７及び図１０に見られるように、本実施例では、スリーブカプラ５１１６の弓状面５１５６は水平曲率半径７１７６を有し、スリーブカプラ３１１１の弓状面３１５１は水平曲率半径７１７１を有し、スリーブカプラ３１１２の弓状面３１５２は水平曲率半径７１７２を有し、スリーブカプラ７１１５の弓状面７１５５は水平曲率半径７１７５を有する。また、本実施例では、スリーブカプラセット３１１０の弓状面は、シャフトスリーブ１１００のスリーブ下端部３１９２に向かって及びスリーブ軸５１５０に向かって厚みが減少する垂直テーパリングを有する（図５〜図６）。例えば、図１０に見られるように、スリーブカプラ５１１６の弓状面５１５６は垂直テーパリング１０１８６を有し、スリーブカプラ３１１１の弓状面３１５１は垂直テーパリング１０１８１を有し、スリーブカプラ３１１２の弓状面３１５２は垂直テーパリング１０１８２を有する。図１０には示さないものの、スリーブカプラ７１１５の弓状面７１５５は、また、スリーブカプラ５１１６の垂直テーパリング１０１８６に類似する垂直テーパリングを有する。
【００４４】
シャフトレシーバ３２００のレシーバカプラセット３２１０に関して、図８及び図１１に見られるように、本実施例では、レシーバカプラ８２１８の弓状面８２５８は、スリーブカプラ５１１６の水平曲率半径７１７６（図７、図１０）と相補的である水平曲率半径８２７８を有し、レシーバカプラ３２１３の弓状面３２５３は、スリーブカプラ３１１１の水平曲率半径７１７１（図７）と相補的である水平曲率半径８２７３を有し、レシーバカプラ３２１４の弓状面３２５４は、スリーブカプラ３１１２の水平曲率半径７１７２（図７）と相補的である水平曲率半径８２７４を有し、レシーバカプラ８２１７の弓状面８２５７は、スリーブカプラ７１１５の水平曲率半径７１７５（図７）と相補的である水平曲率半径８２７７を有する。
【００４５】
また、本実施例では、レシーバカプラセット３２１０の弓状面は、スリーブカプラセット３１１０の弓状面の垂直テーパリングに相補的な垂直テーパリングを有する。例えば、図１１に見られるように、レシーバカプラ８２１８の弓状面８２５８は、スリーブカプラ５１１６の垂直テーパリング１０１８６（図１０）と相補的な垂直テーパリング１１２８８を有し、レシーバカプラ３２１３の弓状面３２５３は、スリーブカプラ３１１１の垂直テーパリング１０１８１（図１０）と相補的な垂直テーパリング１１２８３を有し、レシーバカプラ３２１４の弓状面３２５４は、スリーブカプラ３１１２の垂直テーパリング１０１８２（図１０）と相補的な垂直テーパリング１１２８４を有する。図１１には示さないものの、レシーバカプラ８２１７の弓状面８２５７は、レシーバカプラ８２１８の垂直テーパリング１１２８８に類似し、スリーブカプラ７１１５の垂直テーパリングに相補的な垂直テーパリングも有する。
【００４６】
本実施形態では、スリーブカプラセット３１１０の弓状面の垂直テーパリングは実質的に線形であり、図１０のスリーブカプラ３１１１及び３１１２の垂直テーパリング１０１８１及び１０１８２のプロファイル図において見られるように、実質的に直線で減少する。同様に、図１１のレシーバカプラ３２１３及び３２１４の垂直テーパリング１１２８３及び１１２８４のプロファイル図において見られるように、レシーバカプラセット３２１０の弓状面の垂直テーパリングは実質的に線形である。同じ又は他の例では、スリーブカプラセット３１１０の弓状面及びレシーバカプラセット３２１０の弓状面の実質的に線形な垂直テーパリングは、実質的に直線となる大きい又は無限の垂直曲率半径を含むものとみなされてもよい。
【００４７】
しかしながら、スリーブカプラ及び／又はレシーバカプラの垂直テーパリングが線形である必要がない他の実施形態であってもよい。図１２は、スリーブカプラセット１２１１０を有するシャフトスリーブ１２１００の一部分の側面図を示す。図１３は、レシーバカプラセット１３２１０を有するシャフトレシーバ１３２００の側部透視断面図を示す。
【００４８】
シャフトスリーブ１２１００はシャフトスリーブ１１００（図１〜図７、図１０）に類似してもよく、シャフトレシーバ１３２００はシャフトレシーバ３２００（図３〜図４、図８、図１０）に類似してもよい。しかしながら、線形ではない垂直テーパリングを有することで、スリーブカプラセット１２１１０はスリーブカプラセット３１１０と異なる。例えば、スリーブカプラセット１２１１０は、線形であるよりもむしろ湾曲した垂直テーパリング１２１８６、１２１８１及び１２１８２を有し、対応する垂直曲率半径を有してもよい。同様に、レシーバカプラセット１３２１０は、線形であるよりもむしろ湾曲した垂直テーパリング１３２８８、１３２８３及び１３２８４を有し、スリーブカプラセット１２１１０の曲率半径と相補的な対応する垂直曲率半径を有する。したがって、スリーブカプラセット１２１１０のスリーブカプラ及びレシーバカプラセット１３１２０のレシーバカプラは、それぞれこれらの対応する表面積の全体にわたり水平及び垂直に湾曲している。例えば、スリーブカプラ１２１１６の全表面の任意の点に正接する任意の水平線は、スリーブカプラ１２１１６の全表面の任意の他の点に正接しない。同じ又は他の実施形態では、スリーブカプラセット１２１１０の各スリーブカプラの全表面、及びレシーバカプラセット１３１２０の各レシーバカプラの全表面は、それぞれ全体にわたり及び全方向に湾曲している。
【００４９】
本開示の異なるスリーブカプラ及びレシーバカプラは、対応する特定の範囲内の曲率を有してもよい。例えば、図７及び図１０に関して、スリーブカプラセット３１１０の水平曲率半径７１７１、７１７２、７１７５及び７１７６は、それぞれ約０．１７５インチ（４．４５ミリメートル（ｍｍ））であるが、約０．１インチ（２．５４ｍｍ）〜約０．２２５インチ（５．７１５ｍｍ）の範囲であり得る実施形態があってもよい。図８及び図１１に関して、レシーバカプラセット３２１０の水平曲率半径８２７３、８２７４、８２７７及び８２７８は水平曲率半径７１７１、７１７２、７１７５及び７１７６（図７、図１０）にそれぞれ相補的に同じ又は類似してもよい。加えて、図１２〜図１３の実施形態におけるスリーブカプラセット１２１１０及びレシーバカプラセット１３２１０の水平曲率半径は、また、スリーブカプラセット３１１０及び／又はレシーバカプラセット３２１０の図１〜図１１の実施形態に関して上述したものに類似してもよい。
【００５０】
前述のように、図１〜図１１の実施形態では、スリーブカプラセット３１１０（図１０）及びレシーバカプラセット３２１０（図１１）の垂直テーパリングはほぼ無限大の垂直曲率半径を含むことができ、それにより実質的に直線となる。図１２〜図１３の実施形態では、スリーブカプラセット１２１１０（図１２）及びレシーバカプラセット１３２１０（図１３）の垂直テーパリングはより顕著な垂直曲率半径を含む。一例として、スリーブカプラ１２１１６（図１２）の垂直テーパリング１２１８６の垂直曲率半径は約０．８インチ（２０．３２ｍｍ）であるが、約０．４インチ（１０．１６ｍｍ）〜２インチ（５０．８ｍｍ）の範囲であり得る実施形態があってもよい。スリーブカプラセット１２１１０の他の類似の部分の垂直曲率半径も、垂直テーパリング１２１８６について記載した範囲と同じ範囲内であってもよい。加えて、レシーバカプラセット１３２１０（図１３）の垂直曲率半径は、スリーブカプラセット１２１１０（図１２）について記載した垂直曲率半径と相補的に同じ又は類似であってもよい。
【００５１】
いくつかの例では、スリーブカプラ及び／又はレシーバカプラの弓状面は、幾何学的構造の部分を含んでもよい。例えば、スリーブカプラ１２１１６の弓状面（図１２）は二次曲面を含んでもよく、レシーバカプラ１３２１８の弓状面（図１３）は、スリーブカプラ１２１１６の弓状面に相補的な二次曲面を含んでもよい。このような例では、スリーブカプラ１２１１６及びレシーバカプラ１３２１８の二次曲面は、例えば、放物面の一部分又は双曲面の一部分を含んでもよい。その二次弓状面が、錐面の一部分のような縮退二次曲面（ｄｅｇｅｎｅｒａｔｅ  ｑｕａｄｒｉｃ  ｓｕｒｆａｃｅ）の一部分を含み得るスリーブカプラ及びレシーバカプラを有する例もあってもよい。このような例は、スリーブカプラセット３１１０及びレシーバカプラセット３２００に関する図１０〜図１１のものに類似してもよい。
【００５２】
図１０〜図１１及び図１２〜図１３の実施形態では、スリーブカプラセット３１１０（図１０）及び／又は１２１１０（図１２）のスリーブカプラの弓状面、並びにレシーバカプラセット３２１０（図１１）及び／又は１３２１０（図１３）のレシーバカプラの弓状面は、あらゆる屈曲点がないように、例えば、連続的に湾曲するように構成されてもよい。同じ又は他の実施形態では、このような弓状面はまた、（それらのそれぞれの外周部を除いて）縁なしであるように構成されてもよい。例えば、スリーブカプラ５１１６（図１０）の全表面積は、その外周部内のその全表面積のあらゆる部分に関して縁なしである。加えて、レシーバカプラ８２１８（図１１）の全表面積は、また、その外周部内のその全表面積のあらゆる部分に関して縁なしである。類似の縁なし特性は、また、スリーブカプラ１２１１０（図１２）及びレシーバカプラ１３２１８（図１３）に共通している。上述の特性により、スリーブカプラがレシーバカプラに対して固定されるとき、接触面積を最大化することができ、その対応するシャフトレシーバに対するそのシャフトスリーブの回転を制限する。
【００５３】
図３〜図７及び図１０に見られるように、スリーブカプラセット３１１０はスリーブ外壁３１３０の上部部分から突出している。同様に、図３〜図４、図８〜図９及び図１１に見られるように、レシーバカプラセット３２１０はレシーバ内壁３２３０の上部部分内に凹設されている。しかしながら、スリーブカプラセット３１１０及びレシーバカプラセット３２１０が別の場所に位置し得る他の実施形態があってもよい。例えば、スリーブカプラセット３１１０及びレシーバカプラセット３２１０は、シャフトスリーブ１１００及びシャフトレシーバ３２００それぞれの下部部分もしくは中間部分に又は下部部分もしくは中間部分の方に位置してもよい。同じ又は他の実施形態では、スリーブカプラセット３１１０がスリーブ外壁３１３０内に凹設され、レシーバカプラセット３２１０がレシーバ内壁３２３０から突出するように、スリーブカプラセット３１１０とレシーバカプラセット３２１０の形状を逆にしてもよい。本明細書中に記載される装置、方法及び製造する物品はこの点に関して限定されない。
【００５４】
図３に示される断面図に見られるように、ゴルフカップリング機構１０００は、また、シャフトスリーブ１１００をシャフトレシーバ３２００に固定するように構成された固定用締結具３４００を有する。本実施例では、固定用締結具３４００は、シャフトレシーバ３２００の下部にある通路を介して、シャフトスリーブ１１００のスリーブ下端部３１９２と結合するように構成されたボルトを有する。固定用締結具３４００は、ねじ山機構によりスリーブ下端部３１９２と結合するように構成されている。ねじ山機構が締められるにつれて、固定用締結具３４００は、シャフトスリーブ１１００をシャフトレシーバ３２００の下端部に向かって引くように構成されており、それにより、スリーブカプラセット３１１０の弓状面をレシーバカプラセット３２１０の弓状面に対して固定する。
【００５５】
本実施例のような例では、ゴルフクラブヘッド１０１の本体、シャフトスリーブ１１００及び固定用締結具３４００の合計総質量は組立後クラブヘッド質量と呼ばれることがある一方、シャフトスリーブ１１００及び固定用締結具３４００のないゴルフクラブヘッド１０１の本体の質量は分解後クラブヘッド質量と呼ばれることがある。
【００５６】
本実施形態では、固定用締結具３４００は保持要素３４５０を有する。保持要素３４５０は、固定用締結具３４００に結合され、固定用締結具３４００がシャフトスリーブ１１００から分離されたときに、シャフトレシーバ３２００から完全に外れるのを制限するか又は少なくとも阻止する。保持要素３４５０は、シャフトレシーバ３２００内に配置され、固定用締結具３４００のねじ山の周囲に結合されたワッシャを含む。本実施形態では、例えば、固定用締結具３４００を保持要素３４５０内に押し込むことによって固定用締結具３４００のねじ山に沿ったその位置決めを可能にするように、また例えば、固定用締結具３４００のねじ山に沿って位置決めされると実質的にその位置にとどまるように、保持要素３４５０は、固定用締結具３４００のねじ山に可撓的に係合するように構成されてもよい。したがって、保持要素３４５０は、シャフトスリーブ１１００がシャフトレシーバ３２００から取り外された後、固定用締結具３４００の端部をシャフトレシーバ３２００内に保持することができ、スリーブ下端部３１９２への固定用締結具３４００の端部の挿入を可能にできる。いくつかの例では、保持要素３４５０は、固定用締結具３４００の材料に比べてより可撓性のある、ナイロン材料又は他のプラスチック材料などの材料を含んでもよい。
【００５７】
他の例では、固定用締結具３４００がシャフトレシーバ３２００に入る穴は、固定用締結具３４００のねじ山に対応するねじ山を含んでもよく、このようなねじ山は、これにより、保持要素として機能してもよい。これらの他の例では、保持要素３４５０は省略されてもよい。
【００５８】
シャフトスリーブ１１１０が固定用締結具３４００によってシャフトレシーバ３２００内に固定されると、スリーブカプラセット３１１０及びレシーバカプラセット３２１０はそれら各々の弓状面の少なくとも大部分が互いに対して固定されるように構成されている。例えば、図１０〜図１１の実施形態では、互いに対して固定されると、スリーブカプラ５１１６の全表面の少なくとも大部分と、レシーバカプラ８２１８の全表面の大部分とが互いに接触し、シャフトレシーバ３２００に対するシャフトスリーブ１１００の回転が制限される。別の例として、図１１〜図１２の実施形態では、互いに対して固定されると、スリーブカプラ１２１１６の全表面の大部分と、レシーバカプラ１３２１８の全表面の大部分とは、また、互いに接触して回転が制限される。同じ又は他の例では、スリーブカプラセット３１１０（図１０）又は１２１１０（図１２）の個々のスリーブカプラと、レシーバカプラセット３２１０（図１１）又は１３２１０（図１３）の個々のレシーバカプラとの間の境界面によって画定される接触面積は、個々のレシーバカプラ又は個々のスリーブカプラの全表面の約５１％〜約９５％であってもよい。いくつかの実施形態では、このような接触面積は、個々のレシーバカプラ及び／又は個々のスリーブカプラの全表面に実質的に近似するか又は等しいなど、更に大きくてもよい。スリーブカプラセット３１１０（図１０）又は１２１１０（図１２）のスリーブカプラの弓状面が、レシーバカプラセット３２００（図１１）又は１３２１０（図１３）のレシーバカプラの弓状面に対して固定されると、各々の接触面積にわたり垂直抗力が互いに作用する例もあってもよい。
【００５９】
本実施例では、固定用締結具３４００がシャフトレシーバ３２００内のシャフトスリーブ１１００を固定しているとき、スリーブトップ部３１７０はシャフトレシーバ３２００の外部にとどまり、レシーバカプラセット３２１０に対するスリーブカプラセット３１１０の固定により、スリーブトップ部３１７０の下端部３１７１はシャフトレシーバ３２００の上端部から離間している。このような内蔵空間により製造公差が緩和され、スリーブカプラセット３１１０をレシーバカプラセット３２１０に対して適切に固定できることを確実とする。
【００６０】
同じ又は他の例では、スリーブカプラセット３１１０の１つ以上のスリーブカプラの一部分は、シャフトレシーバ３２００の上端部を越えて突出してもよい。スリーブカプラセット３１１０の１つ以上のスリーブカプラが、レシーバカプラセット３２１０の１つ以上のレシーバカプラの下端部を越えて延出し得る例があってもよい。他の例では、レシーバカプラセットの１つ以上のレシーバカプラは、スリーブカプラセット３１１０の１つ以上のスリーブカプラの下端部を越えて延出してもよい。上述した特徴のいくつかは、要求される製造公差を緩和するためにゴルフカップリング機構１０００へと設計されてもよい一方、レシーバカプラセット３２１０に対するスリーブカプラセット３１１０の適切な固定をなお可能にしてもよい。
【００６１】
図１４は、図４の線ＸＩＶ−ＸＩＶにおいて見た、構成１４００のゴルフカップリング機構１０００の上部断面図を示す。ゴルフカップリング機構１０００は、図３〜図４及び図１４では構成１４００において示され、スリーブカプラセット３１１０のスリーブカプラ３１１１、７１１５、３１１２及び５１１６（図７）は、それぞれレシーバカプラセット３２１０のレシーバカプラ３２１３、８２１７、３２１４及び８２１８（図８）に結合されている。上記のように、シャフト穴軸６１５０（図６）はシャフトスリーブ１１００のスリーブ軸５１５０と非同軸であるため、図１４の構成１４００は、シャフト穴軸６１５０（図６）とシャフトレシーバ３２００（図３〜図４、図８〜図９）との間に及び／又はシャフト１０２（図１）とゴルフクラブヘッド１０１（図１）との間に第１のライ角及び第１のロフト角を有することができる。
【００６２】
図１５は、図４の線ＸＩＶ−ＸＩＶにおいて見た、構成１５００のゴルフカップリング機構１０００の上部断面図を示す。構成１５００では、スリーブカプラセット３１１０のスリーブカプラ３１１２、５１１６、３１１１及び７１１５（図７）は、それぞれレシーバカプラセット３２１０のレシーバカプラ３２１３、８２１７、３２１４及び８２１８（図８）に結合されている。上記のように、シャフト穴軸６１５０（図６）はシャフトスリーブ１１００のスリーブ軸５１５０と非同軸であるため、図１５の構成１５００は、シャフト穴軸６１５０（図６）とシャフトレシーバ３２００（図３〜図４、図８〜図９）との間に及び／又はシャフト１０２（図１）とゴルフクラブヘッド１０１（図１）との間に第２のライ角及び第２のロフト角を有することができる。
【００６３】
図１６は、図４の線ＸＩＶ−ＸＩＶにおいて見た、構成１６００のゴルフカップリング機構１０００の上部断面図を示す。構成１６００では、スリーブカプラセット３１１０のスリーブカプラ７１１５、３１１２、５１１６及び３１１１（図７）は、それぞれレシーバカプラセット３２１０のレシーバカプラ３２１３、８２１７、３２１４及び８２１８（図８）に結合されている。上記のように、シャフト穴軸６１５０（図６）はシャフトスリーブ１１００のスリーブ軸５１５０と非同軸であるため、図１６の構成１６００は、シャフト穴軸６１５０（図６）とシャフトレシーバ３２００（図３〜図４、図８〜図９）との間に及び／又はシャフト１０２（図１）とゴルフクラブヘッド１０１（図１）との間に第３のライ角及び第３のロフト角を含む。
【００６４】
図１７は、図４の線ＸＩＶ−ＸＩＶにおいて見た、構成１７００のゴルフカップリング機構１０００の上部断面図を示す。構成１７００では、スリーブカプラセット３１１０のスリーブカプラ５１１６、３１１１、７１１５及び３１１２（図７）は、それぞれレシーバカプラセット３２１０のレシーバカプラ３２１３、８２１７、３２１４及び８２１８（図８）に結合されている。上記のように、シャフト穴軸６１５０（図６）はシャフトスリーブ１１００のスリーブ軸５１５０と非同軸であるため、図１７の構成１７００は、シャフト穴軸６１５０（図６）とシャフトレシーバ３２００（図３〜図４、図８〜図９）との間に及び／又はシャフト１０２（図１）とゴルフクラブヘッド１０１（図１）との間に第４のライ角及び第４のロフト角を含む。
【００６５】
スリーブ軸５１５０及びスリーブカプラセット３１１０に対するシャフト穴軸６１５０の角度に応じて、図１４〜図１７に示される構成により異なるライ角及びロフト角アライメントを得てもよい。例えば、本実施形態では、図６に見られるように、シャフト１０２（図１）がシャフトスリーブ１１００に挿入されたときにスリーブカプラ３１１２の方に傾くように、シャフト穴軸６１５０とスリーブ軸５１５０との間の角度により、シャフト穴３１２０の下部をスリーブカプラ３１１１の方に向ける。
【００６６】
したがって、構成１４００（図１４）では、第１のライ角はより小さいライ角を有してもよく、第１のロフト角は中立又は中間のロフト角を有してもよい。一例として、第１のライ角は、シャフト１０２のグリップ端部をゴルフクラブヘッド１０１（図１）のヒール部の方に約０．２度〜約４度傾けるように設定することができ、これにより、構成１４００におけるゴルフクラブのライ角は減少する。本実施例の中立である第１のロフト角は、構成１４００においてシャフト１０２の傾きに影響しない。
【００６７】
構成１５００（図１５）では、第２のライ角はより大きいライ角を有してもよく、第２のロフト角は中立又は中間のロフト角を有してもよく、このロフト角は構成１４００（図１４）の第１のロフト角と類似していても等しくてもよい。一例として、第２のライ角は、シャフト１０２のグリップ端部をゴルフクラブヘッド１０１（図１）のトウ部の方に約０．２度〜約４度傾けるように設定することができ、これにより、構成１５００におけるゴルフクラブのライ角は増大する。本実施例の中立である第２のロフト角は、構成１５００においてシャフト１０２の傾きに影響しない。
【００６８】
構成１６００（図１６）では、第３のロフト角はより小さいロフト角を有してもよく、第３のライ角は中立又は中間のライ角を有してもよい。一例として、第３のロフト角は、シャフト１０２のグリップ端部をゴルフクラブヘッド１０１（図１）のリア部の方に約０．２度〜約４度傾けるように設定することができ、これにより、構成１６００におけるゴルフクラブのロフト角は減少する。本実施例の中立である第３のライ角は、構成１６００においてシャフト１０２の傾きに影響しない。
【００６９】
構成１７００（図１７）では、第４のロフト角はより大きいロフト角を有してもよく、第４のライ角は中立又は中間のライ角を有してもよく、このライ角は構成１６００（図１６）の第３のライ角と類似していても等しくてもよい。一例として、第４のロフト角は、シャフト１０２のグリップ端部をゴルフクラブヘッド１０１（図１）のフロント部又は打面の方に約０．２度〜約４度傾けるように設定することができ、これにより、構成１７００におけるゴルフクラブのロフト角は増大する。本実施例の中立である第４のライ角は、構成１７００におけるシャフト１０２の傾きに影響しない。
【００７０】
他の実施形態では、シャフトスリーブ１１００のスリーブ軸５１５０（図６）に対するシャフト穴軸６１５０（図６）の角度及び／又は向きを変えることによって、他のライ角とロフト角との関係を構成してもよい。更に、図１４〜図１７から分かるように、スリーブカプラ３１１１、３１１２、５１１６及び７１１５は互いに対称であり、レシーバカプラ３２１３、３２１４、８２１７及び８２１８も互いに対称である。異なる実施形態では、（４つではなく）２つのみの異なるライ角とロフト角との組み合わせが可能となるように、スリーブカプラ及びレシーバカプラのうちの対向するもののみが互いに対称であってもよい。
【００７１】
図１〜図１７のゴルフカプラ機構に関する上述した様々な特徴は、調節可能なシャフトカップリング機構を有する他のゴルフクラブヘッドと比較した場合、ゴルフカプラ機構が使用されるゴルフクラブに対していくつかの性能利点を付与することもできる。例えば、必要な部品の数が少ないことから及び／又はレシーバカプラセット３２１０がシャフトレシーバ３２００（図３）の上端部の方のみに配置されることから、ホーゼル１０１５（図１）のホーゼル直径１０３１を最小に維持することができ、及び／又は対応する標準的なゴルフクラブヘッドのホーゼル直径と比較的変わらないものとすることができる。いくつかの例では、図８に見られるように、ホーゼル直径１０３１はレシーバ上端部１０３２において、約２０ｍｍ未満、例えば、約０．５５インチ（約１４ｍｍ）、又は例えば、約０．５３インチ（約１３．４６ｍｍ）であってもよい。加えて、シャフトレシーバ３２００のレシーバ上端部１０３２において示されるように、シャフトレシーバ３２００の上部壁厚さ９２５０（図８〜図９）を最小にすることができる。例えば、上部壁厚さ９２５０は、約０．０３５インチ（約０．９ｍｍ）以下、また例えば、約０．０２４インチ（約０．６１ｍｍ）であってもよい。
【００７２】
図８に見られるように、本実施形態では、上部壁厚さ９２５０は、レシーバ上端部１０３２に沿って厚みが変化し、レシーバ上端部１０３２に、少なくとも１つのホーゼル上壁薄肉部分８２５２と、少なくとも１つのホーゼル上壁厚肉部分８２５１とを有する。ホーゼル直径１０３１の中心点に対して径方向に測定した場合、レシーバ上端部１０３２におけるホーゼル上壁厚肉部分８２５１は、約２．３ｍｍ以下の厚みを有することができる。ホーゼル直径１０３１の中心点に対して径方向に測定した場合、レシーバ上端部１０３２におけるホーゼル上壁薄肉部分８２５２は、約０．９ｍｍ以下の厚みを有することができる。本実施例では、ホーゼル直径１０３１の中心点に対して径方向に測定した場合、ホーゼル上壁厚肉部分８２５１は約１．２７ｍｍ以下、ホーゼル頂壁薄肉部分８２５２は０．６４ｍｍ以下であってもよい。
【００７３】
上述のように、ホーゼル直径１０３１を最小にすることにより、ホーゼル１０１５の空気力学的抗力が低下することで、ゴルフクラブヘッド１０１の空気力学的特性を向上させることができる。図１９は、ゴルフクラブヘッド１９１０及び１９２０の各ホーゼルの停滞抗力伴流領域１９１１及び１９２１の比較を示す。ゴルフクラブヘッド１９１０は約０．５インチのホーゼル直径を有し、ゴルフクラブヘッド１９２０は約０．６２インチのより大きいホーゼル直径を有する。いくつかの例では、ゴルフクラブヘッド１９１０はゴルフクラブヘッド１０１（図１〜図４、図８〜図９）に類似してもよい。図１９に見られるように、クラブヘッド１９２０のより大きいホーゼル直径によってそのホーゼルの下流側により大きい停滞抗力伴流領域１９２１が生成され、クラブヘッド１９１０のより小さい停滞抗力伴流領域１９１１と比較した場合に空気力学的抗力の値が高くなる。図２０は、ゴルフクラブヘッド１９１０及び１９２０のホーゼル直径に関するオープンフェース角の関数としての抗力のチャートを示す。いくつかの例では、クラブヘッド１９１０は、また、約０．３３５インチ（約８．５ｍｍ）のシャフト厚さなど、低減されたシャフト厚さを有するゴルフクラブシャフトを含んでもよい。同じ又は他の例では、５０度以下のオープンフェースの向きでは、このようなホーゼル直径の差により、ゴルフクラブヘッド１９２０のより大きい抗力と比較した場合、ゴルフクラブヘッド１９１０のドラグ抵抗（ｄｒａｇ  ｒｅｓｉｓｔａｎｃｅ）が約０．１ポンド以下低くなってもよい。同じ又は他の例では、ゴルフクラブヘッド１９１０の抗力は、ほぼスクエアの向きにおける約１．２ポンドから、約５０度のオープンフェースの向きにおける約０．２ポンドまでの範囲であってもよい。
【００７４】
同じ又は他の実施形態では、調節可能なシャフトカップリング機構を有する他のゴルフクラブヘッドと比較した場合、図１〜図１７のゴルフカプラ機構の質量及び／又は質量比をそれら各々のゴルフクラブヘッドに対して最小にしてもよい。例えば、ゴルフクラブヘッド１０１（図１〜図４、図８〜図９）がドライバー型ゴルフクラブヘッドを有する例では、クラブヘッド１０１の種々の要素は、以下の表１に示すものに類似する質量特性を有してもよい。
【００７５】
【表１】
2019205850.tif 000003
【００７６】
このような例では、以下の表２に示すように、組立後のクラブヘッド１０１に対するゴルフカプラ機構１０００の質量の比は非常に低くなってもよい。
【００７７】
【表２】
2019205850.tif 000004
【００７８】
例えば、ゴルフクラブヘッド１０１（図１〜図４、図８〜図９）がフェアウェイウッド型ゴルフクラブヘッドを有する他の例では、クラブヘッド１０１の種々の要素は、以下の表３に示すものに類似する質量特性を有してもよい。
【００７９】
【表３】
2019205850.tif 000005
【００８０】
このような例では、以下の表４に示すように、組立後のクラブヘッド１０１に対するゴルフカプラ機構１０００の質量の比は非常に低くなってもよい。
【００８１】
【表４】
2019205850.tif 000006
【００８２】
上述の質量、寸法及び／又は位置特性により、ゴルフクラブヘッドの質量分布及び／又は重心（ＣＧ）の位置に関する利点及び／又は柔軟性を提供することができる例があってもよい。例えば、シャフトスリーブ１１００のシャフトスリーブ重心１１５０（図１）は、シャフトスリーブＣＧ垂直距離１１５９（図１）に配置されるように構成されてもよい。
【００８３】
クラブヘッド１０１（図１〜図４、図８〜図９）がドライバー型ゴルフクラブヘッドを有する実施形態のようないくつかの例では、シャフトスリーブ１１００のシャフトスリーブ重心１１５０（図１）は、ドライバー型クラブヘッド１０１のソール１０１４の外部ソール下端部１０１４１の上方約５０ｍｍ未満のシャフトスリーブＣＧ垂直距離１１５９に配置されるように構成されてもよい。同じ又は他の例では、シャフトスリーブＣＧ垂直距離１１５９は、外部ソール下端部１０１４１の上方約４６．２ｍｍ未満であってもよい。同じ又は他の例では、シャフトスリーブＣＧ垂直距離１１５９は、外部ソール下端部１０１４１の上方約４３．７ｍｍ未満であってもよい。シャフトスリーブ１１００のシャフトスリーブ重心１１５０は、また、いくつかの実施形態では、ドライバー型の組立後のゴルフクラブヘッド１０１の組立後のクラブヘッド重心１０５０（図１）の上方約０．５９インチ（約１５ｍｍ）未満のシャフトスリーブＣＧ垂直距離１０５９（図１）に配置されるように構成されてもよい。同じ又は他の実施形態では、シャフトスリーブＣＧ垂直距離１１５９は、ドライバー型クラブヘッド１０１の組立後のクラブヘッドＣＧ垂直距離１０５８よりも少なくとも約７．６ｍｍ大きくされてもよい。
【００８４】
クラブヘッド１０１（図１〜図４、図８〜図９）がフェアウェイウッド型ゴルフクラブヘッドを有する実施形態のような他の例では、シャフトスリーブ１１００のシャフトスリーブ重心１１５０（図１）は、フェアウェイウッド型クラブヘッド１０１のソール１０１４の外部ソール下端部の上方約３５．６ｍｍ未満のシャフトスリーブＣＧ垂直距離１１５９に配置されるように構成されてもよい。同じ又は他の例では、シャフトスリーブＣＧ垂直距離１１５９は、フェアウェイウッド型クラブヘッド１０１のソール１０１４の外部ソール下端部１０１４１の上方約１．３５インチ（約３４．３ｍｍ）未満であってもよい。シャフトスリーブ１１００のシャフトスリーブ重心１１５０は、また、いくつかの実施形態では、フェアウェイウッド型の組立後のゴルフクラブヘッド１０１の組立後のクラブヘッド重心１０５０（図１）の上方約１９ｍｍ未満のシャフトスリーブＣＧ垂直距離１０５９（図１）に配置されるように構成されてもよい。同じ又は他の実施形態では、シャフトスリーブＣＧ垂直距離１１５９は、フェアウェイウッド型クラブヘッド１０１の組立後のクラブヘッドＣＧ垂直距離１０５８よりも少なくとも約１６．５ｍｍ大きくされてもよい。
【００８５】
本実施例では、図１に見られるように、ホーゼル１０１５は、ホーゼル１０１５の長手方向中心線に沿って延びるホーゼル軸１０１６を有する。ホーゼル軸１０１６は、下部水平軸１０１９に対してホーゼルライ角１０１８を画定する。下部水平軸１０１９は、ソール下端部１０１４１に水平に正接する。いくつかの実施形態では、ホーゼルライ角１０１８は、例えば、約５８度であってもよい。本実施形態では、シャフトスリーブＣＧ垂直距離１１５９及び組立後のクラブヘッドＣＧ垂直距離１０５８は、下部水平軸１０１９から垂直に延びる。
【００８６】
クラブヘッド１０１は、また、クラウン１０１７の上端部に垂直に、ソール下端部１０１４１に対して延びるクラウン高さ垂直距離１０１８を有する。例えば、クラブヘッド１０１がドライバー型ゴルフクラブヘッドを有するいくつかの実施形態では、クラウン高さ垂直距離１０１８はソール下端部１０１４１に対して少なくとも約５９．７ｍｍであってもよい。同じ又は他の実施形態では、組立後のクラブヘッドＣＧ垂直距離は、ソール下端部１０１４１に対して約３３ｍｍ未満であってもよい。
【００８７】
図１に見られるように、レシーバ上端部１０３２がホーゼル１０１５の上部にあり、ゴルフクラブヘッド１０１のクラウン１０１７の上端部よりも下にとどまるように構成されている例もあってもよい。同じ又は他の実施形態では、ホーゼル１０１５には円筒状外部上部部分がない場合があり、クラウン１０１７は、ホーゼル１０１５の円筒状外部形状を画定することなく、ホーゼル１０１５のレシーバ上端部１０３２において実質的に円形の外周部へと移行してもよい。このような特徴により、シャフトスリーブ１１００の重心の位置を組立後のゴルフクラブヘッド１０１の重心に近づけることを可能にすることができる。
【００８８】
図に戻ると、図１８は、本開示による、ゴルフカプラ機構を提供し、形成し、及び／又は製造するために使用されてもよい方法１８０００のフローチャートを示す。いくつかの例では、ゴルフカプラ機構は、図１〜図１１及び図１４〜図１６のゴルフカプラ機構１０００又は図１２〜図１３のゴルフカプラ機構に類似してもよい。
【００８９】
方法１８０００は、ゴルフクラブシャフトの端部と結合し、スリーブ弓状カプラセットを含むシャフトスリーブを用意するためのブロック１８１００を有する。いくつかの例では、シャフトスリーブはシャフトスリーブ１１００（図１〜図７、図１０、図１４〜図１６）及び／又はシャフトスリーブ１２１００（図１２）に類似してもよい。ゴルフクラブシャフトは、ゴルフクラブシャフト１０２（図１、図５）に類似してもよい。同じ又は他の例では、スリーブ弓状カプラセットは、スリーブカプラセット３１１０（図３〜図７、図１０、図１４〜図１７）及び／又はスリーブカプラセット１２１１０（図１２）に類似してもよい。
【００９０】
方法１８０００のブロック１８２００は、シャフトスリーブのスリーブ弓状カプラセットと結合するように構成されたレシーバ弓状カプラセットを有するゴルフクラブヘッドのシャフトレシーバを用意することを有する。いくつかの例では、シャフトレシーバは、シャフトレシーバ３２００（図３〜図４、図８〜図９、図１１、図１４〜図１７）及び／又はシャフトレシーバ１３２００（図１３）に類似してもよい。レシーバ弓状カプラセットは、レシーバカプラセット３２１０（図３〜図４、図８〜図９、図１１、図１４〜図１７）及び／又はレシーバカプラセット１３２１０（図１３）に類似してもよい。
【００９１】
方法１８０００のブロック１８３００は、シャフトスリーブをシャフトレシーバに固定するように構成された固定用締結具を用意することを有する。いくつかの例では、固定用締結具は、固定用締結具３４００（図３〜図４）に類似してもよい。固定用締結具は、シャフトスリーブをシャフトレシーバの方に引き、スリーブ弓状カプラセットをレシーバ弓状カプラセットに対して固定させるように構成されてもよい。
【００９２】
いくつかの例では、方法１８０００の異なるブロックの１つ以上は、単一のブロックに組み合わせても、同時に実施してもよく、及び／又はこのようなブロックの順序を変更してもよい。例えば、いくつかの実施形態では、必要に応じて、ブロック１８２００とブロック１８３００とを組み合わせてもよい。同じ又は他の例では、方法１８０００のブロックのいくつかを、いくつかのサブブロックに細分してもよい。一例として、ブロック１８１００は、スリーブ弓状カプラセットのスリーブカプラの弓状面の水平曲率半径を形成するためのサブブロックと、スリーブ弓状カプラセットのスリーブカプラの弓状面の垂直テーパリングを形成するためのサブブロックとを有してもよい。方法１８０００が更なる又は異なるブロックを有し得る例があってもよい。一例として、方法１８０００は、ブロック１８２００のシャフトレシーバ用のゴルフクラブヘッドを用意するための別のブロック、及び／又はブロック１８１００のシャフトスリーブ用のシャフトを用意するための別のブロックを有してもよい。加えて、方法１８０００が上述のステップの一部のみを有し得る例があってもよい。例えば、いくつかの実施においてブロック１８３００は任意であってもよい。本開示の範囲から逸脱することなく方法１８０００の他の変化形態を実施してもよい。
【００９３】
スロットキャップゴルフカップリング機構
先の図を参照すると、図２１は、一実施形態による、ゴルフカップリング機構２１１０００を有するゴルフクラブヘッド２１１０１の前部斜視図を示す。多くの実施形態では、ゴルフカップリング機構２１１０００は、ゴルフクラブシャフト２１１０２などのゴルフクラブシャフトの端部に結合されるように構成されたシャフトスリーブ２１１１００を有してもよい。種々の実施形態では、ゴルフクラブヘッド２１１０１はゴルフクラブヘッド１０１（図１）に類似してもよく、ゴルフカップリング機構２１１０００はゴルフカップリング機構１０００（図１）に類似してもよく、及び／又はゴルフクラブシャフト２１１０２はゴルフクラブシャフト１０２（図１）に類似するかもしくは同一であってもよい。したがって、ゴルフカップリング機構２１１０００は、シャフトスリーブ２１１１００及びシャフトレシーバ２１３２００を有してもよい。一方、シャフトスリーブ２１１１００はシャフトスリーブ１１００（図１）に類似してもよく、及び／又はシャフトレシーバ２１３２００はシャフトレシーバ３２００（図３）に類似してもよい。
【００９４】
再び先の図面を参照すると、図２２は、図２１の実施形態による、ゴルフクラブヘッド２１１０１（図２１）から分離されたシャフトスリーブ２１１１００の側面図を示す。一方、図２３は、図２１の実施形態による、図２２の線ＸＸＩＩＩ−ＸＸＩＩＩに沿ったシャフトスリーブ２１１１００の断面図を示す。
【００９５】
図２２を参照すると、シャフトスリーブ２１１１００は、シャフトスリーブ本体２２１０３及びシャフトスリーブキャップ２２１０４を有する。更に、多くの実施形態では、シャフトスリーブ本体２２１０３は、スリーブ本体外壁２２３１３０から突出している１つ以上のカプラを有するスリーブカプラセット２２３１１０を有することができ、シャフトレシーバ２１３２００（図２１）は、シャフトスリーブ２１１１００のスリーブカプラセット２２３１１０に係合し、シャフトレシーバ２１３２００に対するシャフトスリーブ２１１１００の回転を制限するように構成されたレシーバカプラセットを有してもよい。これら又は他の実施形態では、スリーブカプラセット２１３１１０はスリーブカプラセット３１１０（図３）に類似してもよく、スリーブ本体外壁２２３１３０はスリーブ外壁３１３０（図３）に類似してもよく、及び／又はレシーバカプラセットはレシーバカプラセット３２１０（図３）に類似してもよい。以下で更に詳細に説明するように、多くの実施形態では、シャフトスリーブキャップ２２１０４はフェルールを有してもよく、シャフトスリーブ本体２２１０３をゴルフクラブシャフト２１１０２（図２１）と結合するように動作可能であってもよい。
【００９６】
一方、ここで図２３を参照すると、シャフトスリーブ２１１１００は、（ｉ）ゴルフクラブシャフト２１１０２（図２１）の端部を受け入れるように構成されたシャフト穴２３３１２０、（ｉｉ）スリーブ本体下端部２３３１９２にある固定用締結具穴２３１０５、（ｉｉｉ）穴底面２３１１１、及び／又は（ｉｖ）シャフトスリーブ上端部２３１１９１を有してもよい。シャフトスリーブ２１１１００をシャフトレシーバ２１３２００（図２１）に固定するために、固定用締結具穴２３１０５は、固定用締結具（図示せず）を受け入れるように構成されてもよい。更に、穴底面２３１１１は、シャフト穴２３２１２０の底面（例えば、最深面）を有してもよい。多くの実施形態では、シャフト穴２３３１２０はシャフト穴３１２０（図３）に類似してもよく、固定用締結具穴２３１０５は固定用締結具３４００（図３）を受け入れるように構成された穴と類似するかもしくは同一であってもよく、スリーブ本体下端部２３３１９２はスリーブ下端部３１９２（図３）と類似するかもしくは同一であってもよく、固定用締結具は固定用締結具３４００（図３）と類似するかもしくは同一であってもよく、及び／又はシャフトスリーブ上端部２３１１９１はスリーブ上端部１１９１（図３）と類似するかもしくは同一であってもよい。
【００９７】
更に、シャフトスリーブ本体２２１０３がシャフトスリーブキャップ２２１０４に結合される場合、シャフトスリーブ２１１１００は、シャフトスリーブ高さ２３１１９と、シャフトスリーブ本体高さ２３１２０と、シャフトスリーブキャップ高さ２３１２１と、シャフトスリーブキャップ上部高さ２３１２２とを有してもよい。シャフトスリーブ高さ２３１１９は、スリーブ本体下端部２３３１９２にほぼ垂直に測定した、スリーブ本体下端部２３３１９２からシャフトスリーブ上端部２３１１９１までの距離を意味してもよい。一方、シャフトスリーブ本体高さ２３１２０は、シャフトスリーブ高さ２３１１９に平行に測定した、スリーブ本体下端部２３３１９２からシャフトスリーブ本体２２１０３の上端部までの距離を意味してもよい。シャフトスリーブキャップ高さ２３１２１は、シャフトスリーブ高さ２３１１９に平行に測定した、シャフトスリーブキャップ２２１０４の下部からシャフトスリーブ上端部２３１１９１までの距離を意味してもよい。更に、シャフトスリーブキャップ上部高さ２３１２２は、シャフトスリーブ高さ２３１１９とシャフトスリーブ本体高さ２３１２０との間の差を意味してもよい。
【００９８】
例えば、シャフトスリーブ高さ２３１１９は約１．７８インチ以上、約１．８２インチ以下であってもよい。特定の例では、シャフトスリーブ高さ２３１１９は約１．８インチであってもよい。
【００９９】
更に、シャフトスリーブ本体高さ２３１２０は約１．５２７インチ以上、約１．５６７インチ以下であってもよい。特定の例では、シャフトスリーブ本体高さ２３１２０は約１．５４７インチであってもよい。
【０１００】
更にまた、シャフトスリーブキャップ高さ２３１２１は約０．４３インチ、且つ約０．４７インチ以下であってもよい。特定の例では、シャフトスリーブキャップ高さ２３１２１は約０．４５インチであってもよい。
【０１０１】
一方、例えば、シャフトスリーブキャップ上部高さ２３１２２は約０．２３インチ以上、約０．２７インチ以下であってもよい。特定の例では、シャフトスリーブ本体高さ２３１２２は約０．２５インチであってもよい。
【０１０２】
いくつかの実施形態では，固定用締結具穴２３１０５に挿入するための固定用締結具（図示せず）はチタン被覆鋼を有してもよい。更に、固定用締結具は固定用締結具質量を有してもよい。固定用締結具質量は約２．７グラム以上であってもよい。
【０１０３】
次の図面を参照すると、図２４は、図２１の実施形態による、シャフトスリーブキャップ２２１０４（図２２）から分離されたシャフトスリーブ本体２２１０３の側面図を示す。シャフトスリーブ本体２２１０３は、１つ以上の領域２４１０６に関連してもよい。例えば、領域２４１０６は、締結具領域２４１０７と、中間領域２４１０８と、カプラ領域２４１０９と、キャップインターフェース領域２４１１０とを有してもよい。
【０１０４】
締結具領域２４１０７は、スリーブ本体下端部２３３１９２と穴底面２３１１１（図２３）との間に位置するシャフトスリーブ本体２２１０３の一部分を意味してもよい。一方、カプラ領域２４１０９は、スリーブカプラセット２２３１１０の最下点（例えば、スリーブ本体下端部２３３１９２（図２３）に最も近いスリーブカプラセット２２３１１０の点）から、スリーブカプラセット２２３１１０の最高点（例えば、スリーブ本体下端部２３３１９２から最も遠いスリーブカプラセット２２３１１０の点）まで位置するシャフトスリーブ本体の一部分を意味してもよい。一方、中間領域２４１０８は、締結具領域２４１０７とカプラ領域２４１０９との間のシャフトスリーブ本体２２１０３の一部分を意味してもよい。キャップインターフェース領域２４１１０は、中間領域２４１０８に対してカプラ領域２４１０９の反対側にあるシャフトスリーブ本体２２１０３の一部分を意味してもよい。
【０１０５】
ゴルフクラブヘッド２１１０１（図２１）がスイングされたとき及び／又はゴルフボールを打つように操作されたとき、締結具領域２４１０７及びカプラ領域２４１０９は高い応力を受ける可能性がある。一方、中間領域２４１０８及び／又はキャップインターフェース領域２４１１０は、締結具領域２４１０７及びカプラ領域２４１０９が受ける高い応力よりも低い応力を受ける可能性がある。
【０１０６】
固定用締結具によってシャフトスリーブ２１１１００（図２１）をシャフトレシーバ２１３２００（図２１）に固定することで、締結具領域２４１０７における高い応力の相殺を補助することができる。更に、カプラ領域２４１０９において受ける可能性のある高い応力のため、スリーブカプラセット２２３１１０のカプラは、シャフトスリーブ本体２２１０３のスリーブ本体壁に付加的な厚みを付与するように構成されたソリッドローブ（ｓｏｌｉｄ  ｌｏｂｅ）を有してもよい。したがって、カプラはスリーブ本体壁をカプラ領域２４１０９において強化し、カプラ領域２４１０９におけるこれらの高い応力を相殺することができる。スリーブカプラセット２２３１１０のカプラは（例えば、直線的に又は曲線的に）勾配することができ、スリーブ本体下端部２３３１９２から最も遠いカプラ領域２４１０９の端部（例えば、カプラ領域２４１０９がキャップインターフェース領域２４１１０に接続する位置）に最大厚さを有し、スリーブ本体下端部２３３１９２（図２３）に最も近いカプラ領域２４１０９の端部（例えば、カプラ領域２４１０９が中間領域２４１０８と接続する位置）に最小厚さを有する。例えば、最大厚さは約０．７５インチの厚さであってもよい。最小厚さは約０．０２０インチの厚さであってもよい。多くの実施形態では、スリーブカプラセット２２３１１０（図２２）のカプラを勾配させることで、中間領域２４１０８とキャップインターフェース領域２４１１０との間に連続性（例えば、厚みの滑らかな移行）を付与することができる。
【０１０７】
いくつかの実施形態では、スリーブカプラセット２２３１１０のカプラは輪郭が対称であってもよい。スリーブカプラセット２２３１１０のカプラの長さは約０．３８インチ以下であってもよく（例えば、シャフトスリーブ本体４２１０３のスリーブ本体外壁２２３１３０の一部）、約０．２６インチ以上であってもよい（例えば、シャフトスリーブ本体２２１０３のスリーブ本体外壁２２３１３０の別の部分）。
【０１０８】
いくつかの実施形態では、カプラは、シャフトスリーブ本体２２１０３のスリーブ本体外壁２２３１３０の第１部分の方が別の部分（例えば、第１部分に正対するか又は１８０度対向する部分）よりも長くなるように、スリーブカプラセット２２３１１０のカプラは輪郭が非対称であってもよい。スリーブカプラセット２２３１１０のカプラの長さは約０．３８インチ以下であってもよく（例えば、シャフトスリーブ本体２２１０３のスリーブ本体外壁２２３１３０の部分）、約０．２６０インチ以上であってもよい（例えば、シャフトスリーブ本体２２１０３のスリーブ本体外壁２２３１３０の別の部分）。多くの実施形態では、スリーブカプラセット２２３１１０（図２２）のカプラは、スリーブ本体下端部２３３１９２から最も遠いカプラ領域２４１０９の端部（例えば、カプラ領域２４１０９がキャップインターフェース領域２４１１０と接続する位置）における、シャフトスリーブ本体２２１０３のスリーブ軸に最も近いシャフトスリーブ本体２２１０３のスリーブ本体外壁２２３１３０の部分において最長であってもよい。スリーブ軸はスリーブ軸５１５０（図５）と類似するかもしくは同一であってもよい。換言すると、スリーブカプラセット２２３１１０（図２２）のカプラは、スリーブ軸を有し、スリーブ本体下端部２３３１９２にほぼ垂直に延びる面に交差するシャフトスリーブ本体２２１０３のスリーブ本体外壁２２３１３０の部分において最長であってもよい。
【０１０９】
一方、ゴルフクラブヘッド２１１０１がスイングされたとき及び／又はゴルフボールを打つように操作されたとき、中間領域２４１０８が受ける応力はより低くなることから、シャフトスリーブ本体のスリーブ本体壁はカプラ領域２４１０９の一部もしくは全体よりも中間領域２４１０８においてより薄くされてもよく、及び／又は中間領域２４１０８は穴もしくは凹部を有することにより重量を低減してもよい。例えば、中間領域２４１０８におけるシャフトスリーブ本体２２１０３のスリーブ本体壁は約０．０２０インチの厚さ（例えば、平均厚さ）を有してもよい。
【０１１０】
ここで図２３に戻ると、いくつかの実施形態では、シャフト穴２３３１２０は、約０．３４６インチの幅（例えば、直径）を有してもよい。これらの実施形態では、幅は平均幅を有してもよく、及び／又はシャフト穴２３３１２０の全体にわたりほぼ一定であってもよい。
【０１１１】
種々の実施形態では、シャフトスリーブ本体２２１０３はシャフト穴２３３１２０にエッチングチャネル２３１１２を有し、ゴルフクラブシャフト２１１０２（図２１）をシャフトスリーブ本体２２１０３にエポキシ接着するためのより適切な表面積を付与することができる。エッチングチャネル２３１１２はカプラ領域２４１０９（図２４）に、及び／又は例えばカプラ領域２４１０９（図２４）に近い方の中間領域２４１０８（図２４）の半分など、中間領域２４１０８（図２４）の一部もしくは全体に配置されてもよい。
【０１１２】
これら又は他の実施形態では、シャフトスリーブ本体２２１０３は受け入れ溝２３１１３（例えば、アンダカットノッチ）を有してもよい。以下で更に詳細に説明するように、受け入れ溝２３１１３は、シャフトスリーブキャップ２２１０４の突出部２５１１４（図２５）と連通して相互係止し、シャフトスリーブキャップ２２１０４をシャフトスリーブ本体２２１０３に固定することができる。したがって、多くの実施形態では、受け入れ溝２３１１３は、突出部２５１１４（図２５）を補完することができる。いくつかの実施形態では、受け入れ溝２３１１３は、キャップインターフェース領域２４１１０（図２４）に配置されてもよい。多くの実施形態では、受け入れ溝２３１１３は、キャップインターフェース領域２４１１０（図２４）とカプラ領域２４１０９（図２４）との境界面に配置されてもよい。
【０１１３】
ここで先の図面を参照すると、図２５は、図２１の実施形態による、シャフトスリーブ本体２２１０３（図２２）から分離されたシャフトスリーブキャップ２２１０４の側面図を示す。
【０１１４】
いくつかの実施形態では、シャフトスリーブキャップ２２１０４は、キャップ壁２５１１５を有してもよい。更に、キャップ壁２２１１５は、突出部２５１１４と１つ以上のスリット２５１１６とを有してもよい。
【０１１５】
突出部２５１１４は、例えば、キャップ壁２５１１５の端部など、キャップ壁２５１１５から延出するリップを有してもよい。したがって、突出部２５１１４は、キャップ壁２５１１５の残部及び／又はシャフト穴２３３１２０の幅（例えば、直径）よりも大きい幅（例えば、直径）を有してもよい。
【０１１６】
一方、スリット２５１１６は、シャフトスリーブキャップ２２１０４がシャフトスリーブ本体２２１０３（図２２）に結合されているとき、及びシャフトスリーブ本体２２１０３から分離されているとき、キャップ壁２５１１５（例えば、突出部２５１１４）が（例えば、一時的に）弾性的に（例えば、軸方向に）圧縮し、キャップ壁２５１１５自体の方に引き寄せられるのを可能にすることができる。したがって、シャフトスリーブキャップ２２１０４を、シャフトスリーブ本体２２１０３（図２２）に結合する及びシャフトスリーブ本体２２１０３（図２２）から分離するために、突出部２５１１４は受け入れ溝２３１１３（図２３）内及び外に配置されてもよい。これらの実施形態では、突出部２５１１４は、シャフトスリーブキャップ２２１０４を適所にロック又はスナップ留めするためのロック機能として動作可能であってもよい。
【０１１７】
シャフトスリーブキャップ２２１０４は、更に、ゴルフクラブシャフト２１１０２（図２１）とシャフトスリーブ本体２２１０３（図２２）との間に減衰（例えば、振動及び／又は応力低減）を与えるように動作可能であってもよい。例えば、シャフトスリーブキャップ２２１０４は、シャフトスリーブ本体２２１０３（図２２）内におけるゴルフクラブシャフト２１１０２（図２１）の同心性を増すことによって「シャフトピロー」として機能してもよい。多くの実施形態では、シャフトスリーブ本体２２１０３（図２２）内におけるゴルフクラブシャフト２１１０２（図２１）の同心性は、ゴルフクラブシャフト２１１０２（図２１）の耐久性と強い相関関係があってもよい。したがって、シャフトスリーブキャップ２２１０４は、ゴルフクラブシャフト２１１０２（図２１）の破損を防ぐことができ、ゴルフクラブヘッド２１１０１（図２１）の全体的な寿命を延ばすことができる。
【０１１８】
先の図面を参照すると、図２６は、図２１の実施形態による、シャフトスリーブ本体２２１０３（図２２）から分離されたシャフトスリーブキャップ２２１０４の立面図を示す。多くの実施形態では、シャフトスリーブキャップ２２１０４は、キャップ穴２６１１６と、キャップ穴幅２６１１７と、１つ以上の調心機能部２６１１８とを有してもよい。いくつかの実施形態では、シャフト穴２３３１２０（図２３）は、また、キャップ穴幅２６１１７を有してもよい。キャップ穴幅２６１１７はキャップ穴２６１１６の幅（例えば、直径）を意味してもよい。これらの実施形態では、幅は平均幅（例えば、平均直径）を有してもよい。
【０１１９】
キャップ穴幅２６１１７は、ゴルフクラブシャフト２１１０２（図２１）の幅（例えば、直径）よりも大きくすることができる。キャップ穴幅２６１１７とゴルフクラブシャフト２１１０２（図２１）の幅との相違によってシャフト配向の不整合につながる可能性がある。したがって、ゴルフクラブシャフト２１１０２（図２１）の位置合わせ不良を防止するため、調心機能部２６１１８がキャップ穴２６１１６の内部表面から突出してもよい。調心機能部２６１１８がキャップ穴２６１１６の内部表面から延出する距離は、集合的な大きさによってキャップ穴２６１１６内にほぼゴルフクラブシャフト２１１０２（図２１）の幅以下の有効幅（例えば、直径）を与えるのに少なくとも十分であってもよい。キャップ穴幅２６１１７は、調心機能部２６１１８から得られるキャップ穴２６１１６の有効幅よりも大きい。更に、キャップ穴幅２６１１７は、シャフト穴２３３１２０（図２３）の幅と類似するか又は同一であってもよい。したがって、ゴルフクラブシャフト２１１０２（図２１）がシャフトスリーブキャップ２２１０４及びシャフトスリーブ本体２２１０３（図２３）に導入されると、調心機能部２６１１８は、ゴルフクラブシャフト２１１０２（図２１）をキャップ穴２６１１６内及び上述のスリーブ軸周りでほぼ中央に位置決めするように動作可能である。
【０１２０】
再度図２２を参照すると、シャフトスリーブ本体２２１０３は任意の適切な材料を含んでもよい。例えば、いくつかの実施形態では、シャフトスリーブ本体２２１０３は、金属又は金属合金（例えば、アルミニウム合金）を含んでもよい。これらの例では、アルミニウム合金は、約７０％以上のアルミニウム及び約７５％以下のアルミニウムを含んでもよい。より具体的な例では、アルミニウム合金は、約７０％、７１％、７２％、７３％、７４％又は７５％のアルミニウムを含んでもよい。同様に、シャフトスリーブキャップ２２１０４は、上述のようにキャップ壁２５１１５（図２５）が弾性的に圧縮するのを可能にするように構成された任意の適切な材料を含んでもよい。例えば、シャフトスリーブキャップ２２１０４は、ポリマー材料を含んでもよい。
【０１２１】
多くの実施形態では、シャフトスリーブ本体２２１０３はシャフトスリーブ本体質量を有することができ、シャフトスリーブキャップ２２１０４はシャフトスリーブキャップ質量を有することができる。更に、シャフトスリーブ２１１１００は、シャフトスリーブ本体質量及びシャフトスリーブキャップ質量を有するシャフトスリーブ質量を有してもよい。シャフトスリーブ質量は、スリーブ１１００（図１）に関して上述したスリーブの質量に類似してもよい。
【０１２２】
これら又は他の実施形態では、シャフトスリーブ質量は、約４．３グラム以上であってもよい。更に、シャフトスリーブ本体質量は、約３．３グラム以上、約３．８グラム以下であってもよい。更にまた、シャフトスリーブキャップ質量は、約０．５グラム以上、約１．０グラム以下であってもよい。種々の実施形態では、シャフトスリーブ質量は、スリーブ１１００の質量（図１）よりも約０．５グラム少なくされてもよい。更に、固定用締結具質量と合わせたシャフトスリーブ質量は、約７グラム以上であってもよい。したがって、種々の実施形態では、シャフトスリーブ２１１１００は、シャフトスリーブ１１００（図１）よりも重量の優位性を提供することができる。
【０１２３】
図２１を参照すると、ゴルフクラブヘッド２１１０１は、分解後クラブヘッド質量及び組立後クラブヘッド質量を有してもよい。分解後クラブヘッド質量はゴルフクラブヘッド１０１（図１）に関して上述した分解後クラブヘッド質量に類似してもよく、組立後クラブヘッド質量はゴルフクラブヘッド１０１（図１）に関して上述した組立後クラブヘッド質量に類似してもよい。
【０１２４】
いくつかの実施形態では、分解後クラブヘッド質量は、約１８５グラム以上、約２０５グラム以下であってもよい。これら又は他の実施形態では、分解後クラブヘッド質量は、約１９２グラム以上であってもよい。
【０１２５】
いくつかの実施形態では、組立後クラブヘッド質量は、約１８８グラム以上、約２１３グラム以下であってもよい。これら又は他の実施形態では、組立後クラブヘッド質量は、約１９９グラム以上であってもよい。
【０１２６】
更に、分解後クラブヘッド質量に対するシャフトスリーブ質量の比は約２．０％、２．２％又は２．４％以下であってもよく、組立後クラブヘッド質量に対するシャフトスリーブ質量の比は約１．９５％、２．１６％又は２．３５％以下であってもよく、分解後クラブヘッド質量に対するシャフトスリーブ質量及び固定用締結具質量の比は約３．４％、３．６％、又は３．８％以下であってもよく、及び／又は組立後クラブヘッド質量に対するシャフトスリーブ質量及び固定用締結具質量の比は約３．３％、３．５％又は３．７％以下であってもよい。
【０１２７】
一方、ゴルフクラブヘッド２１１０１は、組立後のクラブヘッドＣＧ垂直距離に関連する組立後のクラブヘッドＣＧを有することができ、シャフトスリーブ２１１１００は、シャフトスリーブＣＧ垂直距離に関連するシャフトスリーブＣＧを有することができる。これらの実施形態では、組立後のクラブヘッドＣＧは組立後のクラブヘッドＣＧ１０５０（図１）と類似するかもしくは同一であってもよく、組立後のクラブヘッドＣＧ垂直距離は組立後のクラブヘッドＣＧ垂直距離１０５８（図１）と類似するかもしくは同一であってもよく、シャフトスリーブＣＧはシャフトスリーブＣＧ１０３２（図１）と類似するかもしくは同一であってもよく、及び／又はシャフトスリーブＣＧ垂直距離はシャフトスリーブＣＧ垂直距離１１５９（図１）と類似するかもしくは同一であってもよい。多くの実施形態では、シャフトスリーブＣＧ垂直距離はシャフトスリーブＣＧ垂直距離１１５９（図１）よりも約０．０１０インチ（約０．２５４ミリメートル）以上、約０．０５０インチ（約１．２７ミリメートル）以下だけ少ないものとされてもよい。例えば、シャフトスリーブＣＧ垂直距離は、ゴルフクラブヘッド２１１０１のソール下端部から約４４．９ミリメートル以上、ゴルフクラブヘッド２１１０１のソール下端部から約４６ミリメートル以下であってもよい。特定の例では、シャフトスリーブＣＧ垂直距離は、ゴルフクラブヘッド２１１０１のソール下端部から約４４．９ミリメートル以上、約４５．０ミリメートル以上、約４５．１ミリメートル以上、約４５．２ミリメートル以上、約４５．３ミリメートル以上、約４５．４ミリメートル以上、約４５．５ミリメートル以上、約４５．６ミリメートル以上、約４５．７ミリメートル以上、約４５．８ミリメートル以上、約４５．９ミリメートル以上、約４６．０ミリメートル以上であってもよい。いくつかの実施形態では、ゴルフカップリング機構２１１０００のシャフトスリーブＣＧ垂直距離は、ゴルフクラブヘッド４１１０１のソール下端部から約４４．９ミリメートル以下、約４５．０ミリメートル以下、約４５．１ミリメートル以下、約４５．２ミリメートル以下、約４５．３ミリメートル以下、約４５．４ミリメートル以下、約４５．５ミリメートル以下、約４５．６ミリメートル以下、約４５．７ミリメートル以下、約４５．８ミリメートル以下、約４５．９ミリメートル以下、又は約４６．０ミリメートル以下であってもよい。ゴルフカップリング機構４１１０００のシャフトスリーブＣＧ垂直距離は、ゴルフクラブヘッド４１１０１のソール下端部から４４．９ミリメートルであってもよい。ソール下端部は、ソール下端部１０１４１（図１）と類似するか又は同一であってもよい。
【０１２８】
先の図面を参照すると、図２７は、一実施形態による方法２７０００のフローチャートを示す。多くの実施形態では、方法２７０００は、ゴルフクラブヘッドの１つ以上の部品のゴルフクラブヘッドの製造方法を有してもよい。ゴルフクラブヘッドはゴルフクラブヘッド２１１０１（図２１）と類似するか又は同一であってもよい。
【０１２９】
方法２７０００は、シャフトスリーブを用意する作業２７００１を有してもよい。シャフトスリーブは、シャフトスリーブ２１１１００（図２１）と類似するか又は同一であってもよい。図２８は、図２７の実施形態による例示的な作業２７００１を示す。
【０１３０】
例えば、図２８では、作業２７００１は、シャフトスリーブ本体を用意（例えば、製造）する作業２８００１を有してもよい。シャフトスリーブ本体は、シャフトスリーブ本体２２１０３（図２２）と類似するか又は同一であってもよい。
【０１３１】
更に、作業２７００２は、シャフトスリーブキャップを用意（例えば、製造）する作業２８００２を有してもよい。シャフトスリーブキャップは、シャフトスリーブキャップ２２１０４（図２２）と類似するか又は同一であってもよい。
【０１３２】
ここで再度図２７を参照すると、方法２７０００は、ゴルフクラブヘッドを用意（例えば、製造）する作業２７００２を有してもよい。ゴルフクラブヘッドは、ゴルフクラブヘッド２１１０１（図２１）と類似するか又は同一であってもよい。いくつかの実施形態では、作業２７００１は、作業２７００２の前に及びその逆で実施されてもよい。他の実施形態では、作業２７００１と作業２７００２は、ほぼ同時に実施されてもよい。
【０１３３】
更に、方法２７０００は、シャフトスリーブをゴルフクラブヘッドのホーゼル穴に挿入する作業２７００３を有してもよい。ホーゼル穴は、ゴルフクラブヘッド２１１０１（図２１）に関して上述したホーゼル穴と類似するか又は同一であってもよい。
【０１３４】
また、方法２７００は、ゴルフクラブシャフトをシャフト穴に挿入する作業２７００４を有してもよい。ゴルフクラブシャフトは、ゴルフクラブシャフト２１１０２（図２１）と類似するか又は同一であってもよく、及びシャフト穴は、シャフト穴２３３１２０（図２３）と類似するか又は同一であってもよい。
【０１３５】
一方、方法２７００は、シャフトスリーブキャップをシャフト穴に挿入する作業２７００５を有してもよい。いくつかの実施形態では、作業２７００４は、作業２７００５の前に又はその逆で実施されてもよい。他の実施形態では、作業２７００４と作業２７００５は、ほぼ同時に実施されてもよい。更なる実施形態では、作業２７００３は、作業２７００４及び／又は作業２７００５の前並びにその逆で実施されてもよい。多くの実施形態では、作業２７００１〜２７００３の１つ以上は、作業２７００４〜２７００５の１つ以上の前に、又はその逆で実施されてもよい。
【０１３６】
更にまた、方法２７０００は、シャフトスリーブを締結具によってゴルフクラブヘッドのホーゼルに固定する作業２７００６を有してもよい。ホーゼルは、ゴルフクラブヘッド２１１０１（図２１）に関して上述したホーゼルと類似するか又は同一であってもよく、及び締結具は、ゴルフクラブヘッド２１１０１（図２１）に関して上述した締結具と類似するか又は同一であってもよい。
【０１３７】
ソリッドリブ付キャップカップリング機構
先の図面を参照すると、図２９は、一実施形態による、ゴルフカップリング機構４１１０００を有するゴルフクラブヘッド４１１０１の前部斜視図を示す。多くの実施形態では、ゴルフカップリング機構４１１０００は、ゴルフクラブシャフト４１１０２などのゴルフクラブシャフトの端部に結合されるように構成されたシャフトスリーブ４１１１００を有してもよい。種々の実施形態では、ゴルフクラブヘッド４１１０１はゴルフクラブヘッド１０１（図１）に類似してもよく、ゴルフカップリング機構４１１０００はゴルフカップリング機構１０００（図１）に類似してもよく、及び／又はゴルフクラブシャフト４１１０２はゴルフクラブシャフト１０２（図１）に類似するかもしくは同一であってもよい。したがって、ゴルフカップリング機構４１１０００は、シャフトスリーブ４１１１００及びシャフトレシーバ４１３２００を有してもよい。一方、シャフトスリーブ４１１１００はシャフトスリーブ１１００（図１）に類似してもよく、及び／又はシャフトレシーバ４１３２００はシャフトレシーバ３２００（図３）に類似してもよい。
【０１３８】
再び先の図面を参照すると、図３０は、図２９の実施形態による、ゴルフクラブヘッド２１１０１（図２９）から分離されたシャフトスリーブ４１１１００の側面図を示す。一方、図３１は、図２９の実施形態による、図３０の線ＸＸＸＩＩＩ−ＸＸＸＩＩＩに沿ったシャフトスリーブ４１１１００の断面図を示す。
【０１３９】
図３０を参照すると、シャフトスリーブ４１１１００は、シャフトスリーブ本体４２１０３及びシャフトスリーブキャップ４２１０４を有する。更に、多くの実施形態では、シャフトスリーブ本体２２１０３は、スリーブ本体外壁４２３１３０から突出している１つ以上のカプラを有するスリーブカプラセット４２３１１０を有することができ、シャフトレシーバ４１３２００（図２９）は、シャフトスリーブ４１１１００のスリーブカプラセット４２３１１０に係合し、シャフトレシーバ４１３２００に対するシャフトスリーブ４１１１００の回転を制限するように構成されたレシーバカプラセットを有してもよい。これら又は他の実施形態では、スリーブカプラセット４１３１１０はスリーブカプラセット３１１０（図３）に類似してもよく、スリーブ本体外壁４２３１３０はスリーブ外壁３１３０（図３）に類似してもよく、及び／又はレシーバカプラセットはレシーバカプラセット３２１０（図３）に類似してもよい。以下で更に詳細に説明するように、多くの実施形態では、シャフトスリーブキャップ４２１０４はフェルールを有することができ、シャフトスリーブ本体４２１０３をゴルフクラブシャフト４１１０２（図２９）と結合するように動作可能であってもよい。
【０１４０】
一方、ここで図３１を参照すると、シャフトスリーブ４１１１００は、（ｉ）ゴルフクラブシャフト４１１０２の端部（図２９）を受け入れるように構成されたシャフト穴４３３１２０、（ｉｉ）スリーブ本体下端部４３３１９２にある固定用締結具穴４３１０５、（ｉｉｉ）穴底面４３１１１、（ｉｖ）ゴルフクラブシャフト４１１０２の端部を受け入れ、シャフト穴４３３１２０に結合するように構成されたキャップ穴４２１１０、及び／又は（ｖ）シャフトスリーブ上端部４３１１９１を有してもよい。シャフトスリーブ４１１１００をシャフトレシーバ４１３２００（図２９）に固定するために、固定用締結具穴４３１０５は固定用締結具（図示せず）を受け入れるように構成されてもよい。更に、穴底面４３１１１はシャフト穴４３２１２０の底面（例えば、最深面）を有してもよい。多くの実施形態では、シャフト穴４３３１２０はシャフト穴３１２０（図３）に類似してもよく、固定用締結具穴４３１０５は、固定用締結具３４００（図３）を受け入れるように構成された穴と類似するかもしくは同一であってもよく、スリーブ本体下端部４３３１９２はスリーブ下端部３１９２（図３）と類似するかもしくは同一であってもよく、固定用締結具は固定用締結具３４００（図３）と類似するかもしくは同一であってもよく、及び／又はシャフトスリーブ上端部４３１１９１はスリーブ上端部１１９１（図３）と類似するかもしくは同一であってもよい。
【０１４１】
更に、シャフトスリーブ本体４２１０３がシャフトスリーブキャップ４２１０４に結合される場合、シャフトスリーブ４１１１００は、シャフトスリーブ高さ４３１１９と、シャフトスリーブ本体高さ４３１２０と、シャフトスリーブキャップ高さ４３１２１と、シャフトスリーブキャップ上部高さ４３１２２と、を有してもよい。シャフトスリーブ高さ４３１１９は、スリーブ本体下端部４３３１９２にほぼ垂直に測定した、スリーブ本体下端部４３３１９２からシャフトスリーブ上端部４３１１９１までの距離を意味してもよい。一方、シャフトスリーブ本体高さ４３１２０は、シャフトスリーブ高さ４３１１９に平行に測定した、スリーブ本体下端部４３３１９２からシャフトスリーブ本体４２１０３の上端部までの距離を意味してもよい。シャフトスリーブキャップ高さ４３１２１は、シャフトスリーブ高さ４３１１９に平行に測定した、シャフトスリーブキャップ４２１０４の下部からシャフトスリーブ上端部４３１１９１までの距離を意味してもよい。更に、シャフトスリーブキャップ上部高さ４３１２２は、シャフトスリーブ高さ４３１１９とシャフトスリーブ本体高さ４３１２０との間の差を意味してもよい。
【０１４２】
例えば、シャフトスリーブ高さ４３１１９は、約１．７８インチ以上、約１．８２インチ以下であってもよい。特定の例では、シャフトスリーブ高さ４３１１９は、約１．８インチであってもよい。
【０１４３】
更に、シャフトスリーブ本体高さ４３１２０は、約１．５２９インチ以上、約１．５６９インチ以下であってもよい。特定の例では、シャフトスリーブ本体高さ４３１２０は、約１．５４９インチであってもよい。
【０１４４】
更にまた、シャフトスリーブキャップ高さ４３１２１は、約０．４６インチ以上、約０．５０インチ以下であってもよい。特定の例では、シャフトスリーブキャップ高さ４３１２１は、約０．４８インチであってもよい。
【０１４５】
一方、例えば、シャフトスリーブキャップ上部高さ４３１２２は、約０．２３インチ以上、約０．２７インチ以下であってもよい。特定の例では、シャフトスリーブ本体高さ４３１２２は、約０．２５インチであってもよい。
【０１４６】
いくつかの実施形態では、固定用締結具穴２３１０５に挿入するための固定用締結具（図示せず）はチタン被覆鋼を含んでもよい。更に、固定用締結具は固定用締結具質量を有してもよい。固定用締結具質量は、約２．７グラム以上であってもよい。
【０１４７】
次の図面を参照すると、図３２は、図２９の実施形態による、シャフトスリーブキャップ４２１０４（図３０）から分離されたシャフトスリーブ本体４２１０３の側面図を示す。シャフトスリーブ本体４２１０３は、１つ以上の領域４４１０６に関連してもよい。例えば、領域４４１０６は、締結具領域４４１０７と、中間領域４４１０８と、カプラ領域４４１０９と、キャップインターフェース領域４４１１０とを有してもよい。
【０１４８】
締結具領域４４１０７は、スリーブ本体下端部４３３１９２と穴底面４３１１１（図３１）との間に位置するシャフトスリーブ本体４２１０３の一部分を意味してもよい。一方、カプラ領域４４１０９は、スリーブカプラセット４２３１１０の最下点（例えば、スリーブ本体下端部４３３１９２（図３１）に最も近いスリーブカプラセット４２３１１０の点）から、スリーブカプラセット４２３１１０の最高点（例えば、スリーブ本体下端部４３３１９２から最も遠いスリーブカプラセット４２３１１０の点）まで位置するシャフトスリーブ本体の一部分を意味してもよい。一方、中間領域４４１０８は、締結具領域４４１０７とカプラ領域４４１０９との間のシャフトスリーブ本体４２１０３の一部分を意味してもよい。キャップインターフェース領域４４１１０は、中間領域４４１０８に対してカプラ領域４４１０９の反対側にあるシャフトスリーブ本体４２１０３の一部分を意味してもよい。更に図３２を参照すると、キャップインターフェース領域４４１１０（図３２）は上部リング４４１１５（図３２）を更に有してもよい。
【０１４９】
ゴルフクラブヘッド４１１０１（図２９）がスイングされたとき及び／又はゴルフボールを打つように操作されたとき、締結具領域４４１０７及びカプラ領域４４１０９は高い応力を受ける可能性がある。一方、中間領域４４１０８及び／又はキャップインターフェース領域４４１１０は、締結具領域４４１０７及びカプラ領域４４１０９が受ける高い応力よりも低い応力を受ける可能性がある。
【０１５０】
固定用締結具によってシャフトスリーブ４１１１００（図２９）をシャフトレシーバ４１３２００（図２９）に固定することで、締結具領域４４１０７における高い応力の相殺を補助することができる。更に、カプラ領域４４１０９において受ける可能性のある高い応力のため、スリーブカプラセット４２３１１０のカプラは、シャフトスリーブ本体４２１０３のスリーブ本体壁に付加的な厚みを付与するように構成されたソリッドローブを有してもよい。したがって、カプラはスリーブ本体壁をカプラ領域４４１０９において強化し、カプラ領域４４１０９におけるこれらの高い応力を相殺することができる。スリーブカプラセット４２３１１０のカプラは（例えば、直線的に又は曲線的に）勾配することができ、スリーブ本体下端部４３３１９２から最も遠いカプラ領域４４１０９の端部に（例えば、カプラ領域４４１０９がキャップインターフェース領域４４１１０と接続する位置）最大厚さを有し、スリーブ本体下端部４３３１９２（図３１）に最も近いカプラ領域４４１０９の端部（例えば、カプラ領域４４１０９が中間領域４４１０８と接続する位置）に最小厚さを有する。例えば、最大厚さは約０．７５インチの厚さであってもよい。最小厚さは約０．０２０インチの厚さであってもよい。多くの実施形態では、スリーブカプラセット４２３１１０（図３０）のカプラを勾配させることで、中間領域４４１０８とキャップインターフェース領域４４１１０との間に連続性（例えば、厚みの滑らかな移行）を提供することができる。
【０１５１】
いくつかの実施形態では、スリーブカプラセット４２３１１０のカプラは輪郭が対称であってもよい。スリーブカプラセット４２３１１０のカプラの長さは約０．３８インチ以下であってもよく（例えば、シャフトスリーブ本体４２１０３のスリーブ本体外壁４２３１３０の一部）、約０．２６インチ以上であってもよい（例えば、シャフトスリーブ本体４２１０３のスリーブ本体外壁４２３１３０の別の部分）。
【０１５２】
いくつかの実施形態では、カプラは、シャフトスリーブ本体４２１０３のスリーブ本体外壁４２３１３０の第１部分の方が別の部分（例えば、第１部分に正対するか又は１８０度対向する部分）よりも長くなるように、スリーブカプラセット４２３１１０のカプラは輪郭が非対称であってもよい。スリーブカプラセット４２３１１０のカプラの長さは約０．３８インチ以下であってもよく（例えば、シャフトスリーブ本体４２１０３のスリーブ本体外壁４２３１３０の部分）、約０．２６０インチ以上であってもよい（例えば、シャフトスリーブ本体４２１０３のスリーブ本体外壁４２３１３０の別の部分）。多くの実施形態では、スリーブカプラセット４２３１１０（図３０）のカプラは、スリーブ本体下端部４３３１９２から最も遠いカプラ領域４４１０９（図３２）の端部（例えば、カプラ領域４４１０９がキャップインターフェース領域４４１１０と接続する位置）における、シャフトスリーブ本体４２１０３のスリーブ軸に最も近いシャフトスリーブ本体４２１０３のスリーブ本体外壁４２３１３０の部分において最長であってもよい。スリーブ軸は、スリーブ軸５１５０（図５）と類似するかもしくは同一であってもよい。換言すると、スリーブカプラセット４２３１１０（図３０）のカプラは、スリーブ軸を有し、スリーブ本体下端部４３３１９２にほぼ垂直に延びる面に交差するシャフトスリーブ本体４２１０３のスリーブ本体外壁４２３１３０の部分において最長であってもよい。
【０１５３】
一方、ゴルフクラブヘッド４１１０１がスイングされたとき及び／又はゴルフボールを打つように操作されたとき、中間領域４４１０８が受ける応力はより低くなることから、シャフトスリーブ本体のスリーブ本体壁はカプラ領域４４１０９の一部もしくは全体よりも中間領域４４１０８においてより薄くされてもよく、及び／又は中間領域４４１０８は穴もしくは凹部を有することにより中間領域４４１０８の重量を低減してもよい。例えば、中間領域４４１０８におけるシャフトスリーブ本体４２１０３のスリーブ本体壁は、約０．０２０インチの厚さ（例えば、平均厚さ）を有してもよい。
【０１５４】
ここで図３１に戻ると、いくつかの実施形態では、シャフトスリーブ本体４２１０３は幅（例えば、外径）を有してもよい。シャフトスリーブ本体４２１０３の外径は約０．４０５インチ以上、約０．４４５インチ以下であってもよい。特定の例では、シャフトスリーブ本体の外径は、０．４２５インチであってもよい。
【０１５５】
いくつかの実施形態では、シャフト穴は幅（例えば、直径）（図３１）を有してもよい。シャフト穴４３３１２０の直径は、シャフト穴の中間から穴底面４３１１１まで減少してもよい。穴キャップの直径は中間シャフト穴４３３１３０の直径と類似するか又は同じであってもよい。穴下部４３１５０の直径は、約０．３２０インチ以上、約０．３６０インチ以下であってもよい。特定の例では、穴下部の直径は、０．３４０インチであってもよい。中間シャフト穴４３３１３０の直径は、約０．３２６インチ以上、０．３６６インチ以下であってもよい。特定の例では、中間シャフト穴４３３１３０の直径は、０．３４６インチであってもよい。キャップ穴４２１１５の直径は、約０．３２６インチ以上、０．３６６インチ以下であってもよい。特定の例では、キャップ穴４２１１５の直径は、０．３４６インチであってもよい。
【０１５６】
種々の実施形態では、シャフトスリーブ本体４２１０３は、エッチングチャネル４３１１２をシャフト穴４３３１２０に有し、ゴルフクラブシャフト４１１０２（図２９）をシャフトスリーブ本体４２１０３にエポキシ接着するためのより適切な表面積を付与することができる。エッチングチャネル４３１１２は、カプラ領域４４１０９（図３２）に、及び／又は例えばカプラ領域４４１０９（図３２）に近い方の中間領域４４１０８（図３２）の半分など、中間領域４４１０８（図３２）の一部もしくは全体に配置されてもよい。
【０１５７】
これら又は他の実施形態では、シャフトスリーブ本体４２１０３は、受け入れ溝４３１１３（例えば、アンダーカットノッチ）を有してもよい。以下で更に詳細に説明するように、受け入れ溝４３１１３（図３１）は、シャフトスリーブキャップ４２１０４の突出部４５１１４（図３３）と連通して相互係止し、シャフトスリーブキャップ４２１０４をシャフトスリーブ本体４２１０３に固定することができる。したがって、多くの実施形態では、シャフトスリーブ本体４２１０３の受け入れ溝４３１１３（図３４）は突出部４５１１４（図３３）を補完することができる。いくつかの実施形態では、受け入れ溝４３１１３は、キャップインターフェース領域４４１１０（図３２）に配置されてもよい。多くの実施形態では、受け入れ溝４３１１３（図３５Ｂ）は、キャップインターフェース領域４４１１０（図３２）とカプラ領域４４１０９（図３２）（図３１も参照）との境界面に配置されてもよい。
【０１５８】
ここで先の図面を参照すると、図３３Ａは、図２９の実施形態による、シャフトスリーブ本体４２１０３（図３０）から分離されたシャフトスリーブキャップ４２１０４の直立側面図を示す。図３３Ｂは、図２９の実施形態による、シャフトスリーブ本体４２１０３（図３０）から分離されたシャフトスリーブキャップ４２１０４の有角上面図を示す。図３４は、図２９の実施形態による、図３３Ａの線ＸＬＶ−ＸＬＶに沿ったシャフトスリーブキャップ４２１０４の断面図を示す。シャフトスリーブキャップ４２１０４は、キャップ壁４５０４０（図３３Ａ）を更に有してもよい。キャップ壁は、キャップ壁の一端にある外部キャップ壁４５１１５と、外部キャップ壁に対向する内部キャップ壁４５１２０とを有してもよい。
【０１５９】
図３３Ａを参照すると、シャフトスリーブキャップ４２１０４は、上部キャップ領域４５０５０と、下部キャップ領域４５０６０とを有してもよい。上部キャップ領域４５０５０は、上部キャップ領域４５０５０の上部にある上部リング４５０４５と、上部キャップ領域４５０５０の下端部にある下部縁端シェルフ４５０５５とを有してもよい。上部キャップ領域４５０５０は、上部から下部へと下部縁端シェルフ４５０５５まで直径が増加する。下部キャップ領域４５０６０は、上部キャップ領域４５０５０よりも小さい外径を有する。
【０１６０】
下部キャップ領域４５０６０は、外部キャップ壁４５１１５から突出している突出部４５１１４を有してもよい。突出部４５１１４は、外部キャップ壁４５１１５（図３４）から延出するリップを有してもよい。したがって、突出部４５１１４は、下部キャップ領域４５０６０のキャップ壁の残部の幅４５２００及び／又はシャフト穴４３１２０（図３３Ａ及び図３４）の直径よりも大きい幅（例えば、直径）４５３００を有してもよい。上部キャップ領域４５０５０の下端部シェルフ４５０５５の幅４５４００は、下部キャップ領域４５０６０（図３４）の突出部４５１１４の幅４５３００よりも大きい。
【０１６１】
シャフトスリーブキャップ４１２０４の下部キャップ領域４５０６０は、シャフトスリーブ本体４２１０３（図３２）のキャップインターフェース領域４４１１０及びカプラ領域４４１０９内に嵌合する。一実施形態では、シャフトスリーブキャップ４１２０４をシャフトスリーブ本体４２１０３に結合する及びシャフトスリーブ本体４２１０３から分離するために、シャフトスリーブキャップ４１２０４の下部キャップ領域４５０６０の突出部４５１１４は、受け入れ溝４３１１３（図３４）内及び外に配置されてもよい。受け入れ溝４３１１３（図３４）は、下部キャップ領域４５０６０の突出部４５１１４（図３３）を補完することができる。これらの実施形態では、突出部４５１１５はロック機能として動作可能であるか、又はシャフトスリーブ本体４２１０３（図３２）の受け入れ溝４３１１３（図３４）間の適所にスナップ留めされてもよい。いくつかの実施形態では、突出部４５１１５は、上向きの角度で延出することができ、シャフトスリーブキャップ４１２０４がシャフトスリーブ本体４２１０３（図３２）内に取り付けられるときに曲げることを可能にする。更に図３２を参照すると、シャフトスリーブキャップ４１２０４をシャフトスリーブ本体４２１０３内に取り付けると、シャフトスリーブキャップ４２１０４の下端部シェルフ４５０５５は、シャフトスリーブ本体４２１０３（図３２）のキャップインターフェース領域の上部リング４４１１５の上に取り付けられる。
【０１６２】
シャフトスリーブキャップ４２１０４は、シャフト穴４３１２０（図３３Ｂ）を有してもよい。シャフト穴直径４３１３０は、上部キャップ領域４５０５０及び下部キャップ領域４５０６０（図３４）の両方の全体にわたり一定である。シャフトスリーブキャップ４２１０４（上部及び下部領域）と、シャフトスリーブ本体４２１０３のキャップインターフェース領域４４１１０及びカプラ領域４４１０９と、を組み合わせることで、組立プロセス時におけるエポキシの浸出を防止する。
【０１６３】
シャフトスリーブキャップ４２１０４は、１つ以上のリブ４５２０２を有してもよい。１つ以上のリブ４５２０２は、シャフトスリーブキャップ４２１０４のシャフト穴４３１２０内に、内部キャップ壁４５１２０に沿って上部キャップ領域４５０５０から下部キャップ領域４５０６０（図３３Ｂ）まで互いに平行に突出するか又は延びる。リブ４５２０２は付加的な密閉を提供することができ、シャフトスリーブキャップ４１２０４をシャフトスリーブ本体４２１０３に確実に結合することができる。リブ４５２０２は、シャフトスリーブ４１１１００内におけるゴルフクラブのシャフト４１１０２の確実な調心を更に提供することができる。
【０１６４】
シャフトスリーブキャップ４２１０４は、シャフトスリーブキャップ４２１０４のないシャフトスリーブ本体４２１０３と比較して安定性を提供する。（１）シャフトスリーブキャップ４２１０４の全体的な設計、（２）シャフトスリーブキャップ４２１０４の内部キャップ壁４５１２０上のリブ４５２０２、（３）シャフトスリーブキャップ４２１０４の外部キャップ壁４５１１５上の突出部４５１１５、（４）シャフトスリーブ本体４２１０３の受け入れ溝４３１１３、及び（５）シャフト穴の中間からシャフトスリーブ本体４２１０３の穴底面４３１１１まで減少する穴直径を組み合わせることで、個々に又はその任意の組み合わせにおいて、ゴルフクラブのシャフト４１１０２をシャフトスリーブ４１１１００の上部及び下部の両方内において中央に位置決めすることができ、図２９のシャフト４１１０２により向上した安定性を提供することができる。調心により、ゴルフクラブシャフトの同心性が増し、ゴルフクラブヘッドのスイング時及びゴルフボールとのインパクトの際にシャフトにかかる応力を低減する。
【０１６５】
これらの要素はまた、単独で又はその組み合わせにおいて、ゴルフクラブシャフト４１１０２（図２９）とシャフトスリーブ本体４２１０３（図２９）との間の減衰（例えば、振動）及び応力低減を与える。例えば、シャフトスリーブキャップ４２１０４は、シャフトスリーブ本体４２１０３（図３１）内におけるゴルフクラブシャフト４１１０２（図３０）の同心性を増すことによって「シャフトピロー」として機能してもよい。多くの実施形態では、シャフトスリーブ本体４２１０３（図３０）内におけるゴルフクラブシャフト４１１０２（図２９）の同心性は、ゴルフクラブシャフト４１１０２（図３１）の耐久性と強い相関関係があってもよい。したがって、（１）シャフトスリーブキャップ４２１０４の内部キャップ壁４５１２０上のリブ４５２０２、（２）シャフトスリーブキャップ４２１０４の外部キャップ壁４５１１５上の突出部４５１１５、（３）シャフトスリーブ本体４２１０３の受け入れ溝４３１１３、及び（４）シャフト穴の中間からシャフトスリーブ本体４２１０３の穴底面４３１１１まで減少する穴直径は、個々に又はその任意の組み合わせにおいて、シャフトスリーブキャップ４２１０４は、ゴルフクラブシャフト４１１０２（図２９）の破損を防ぐことができ、ゴルフクラブヘッド４１１０１（図２９）の全体的な寿命を増加することができる。
【０１６６】
再度図３０を参照すると、シャフトスリーブ本体４２１０３は、任意の適切な材料を含んでもよい。例えば、いくつかの実施形態では、シャフトスリーブ本体２２１０３は、金属又は金属合金（例えば、アルミニウム合金）を含んでもよい。これらの例では、アルミニウム合金は、約７０％以上のアルミニウム及び約７５％以下のアルミニウムを含んでもよい。より具体的な例では、アルミニウム合金は、約７０％、７１％、７２％、７３％、７４％又は７５％のアルミニウムを含んでもよい。
【０１６７】
シャフトスリーブキャップ４２１０４は、上述のようにキャップ壁２５１１５（図２５）が弾性的に圧縮するのを可能とするように構成された任意の適切な材料を含んでもよい。例えば、シャフトスリーブキャップ２２１０４は、ポリマープラスチック材料を含んでもよい。ポリマープラスチック材料は、熱可塑性プラスチック材料又はショアＤデュロメータスケールによるソフトポリマープラスチックであってもよい。ソフトポリマープラスチックは、ショアＤデュロメータスケールで４０、４５、５０、５５又は６０以下であってもよい。ソフトポリマープラスチックは、ショアＤデュロメータスケールで５５以下であってもよい。ポリマープラスチック材料は、ポリスチレン、塩化ビニル、ポリ塩化ビニル、ナイロン、ポリメタクリレート、ゴム、ポリカーボネート、合成ゴム又はこれらのコポリマーからなってもよい。
【０１６８】
多くの実施形態では、シャフトスリーブ本体４２１０３は、シャフトスリーブ本体質量を有することができ、シャフトスリーブキャップ４２１０４は、シャフトスリーブキャップ質量を有することができる。更に、シャフトスリーブ４１１１００は、シャフトスリーブ本体質量及びシャフトスリーブキャップ質量を有するシャフトスリーブ質量を有してもよい。シャフトスリーブ質量は、スリーブ１１００（図１）に関して上述したスリーブの質量に類似してもよい。
【０１６９】
これら又は他の実施形態では、シャフトスリーブ質量は、約４．０グラム以上、約４．１グラム以上、約４．２グラム以上、約４．３グラム以上、約４．４グラム以上、約４．５グラム以上、約４．６グラム以上、約４．７グラム以上、約４．８グラム以上、約４．９グラム以上又は約５．０グラム以上であってもよい。更に、シャフトスリーブ本体質量は、約４．２グラム以上、約４．８グラム以下であってもよい。シャフトスリーブ本体質量は、４．５グラムであってもよい。更にまた、シャフトスリーブキャップ質量は、約３．８グラム以上、約３．９グラム以上、約４．０グラム以上、約４．１グラム以上、約４．２グラム以上、約４．３グラム以上又は約４．４グラム以上であってもよい。シャフトスリーブキャップ質量は、約０．１グラム以上、約０．７グラム以下であってもよい。種々の実施形態では、シャフトスリーブ質量は、スリーブ１１００の質量（図１）よりも約０．４グラム少なくされてもよい。更に、固定用締結具質量と合わせたシャフトスリーブ質量は、約７．２グラム以上であってもよい。したがって、種々の実施形態では、シャフトスリーブ４１１１００は、シャフトスリーブ１１００（図１）よりも重量の優位性を提供することができる。
【０１７０】
図２９を参照すると、ゴルフクラブヘッド４１１０１は、分解後クラブヘッド質量及び組立後クラブヘッド質量を有してもよい。分解後クラブヘッド質量は、ゴルフクラブヘッド１０１（図１）に関して上述した分解後クラブヘッド質量に類似してもよく、組立後クラブヘッド質量は、ゴルフクラブヘッド１０１（図１）に関して上述した組立後クラブヘッド質量に類似してもよい。
【０１７１】
いくつかの実施形態では、分解後クラブヘッド質量は、約１８５グラム以上、約２０５グラム以下であってもよい。これら又は他の実施形態では、分解後クラブヘッド質量は、約１９２グラム以上であってもよい。
【０１７２】
いくつかの実施形態では、組立後クラブヘッド質量は、約１８８グラム以上、約２１３グラム以下であってもよい。これら又は他の実施形態では、組立後クラブヘッド質量は、約１９９グラム以上であってもよい。
【０１７３】
更に、分解後クラブヘッド質量に対するシャフトスリーブ質量の比は、約２．０％、２．２％又は２．４％以下であってもよい。組立後クラブヘッド質量に対するシャフトスリーブ質量の比は、約１．９５％、２．１６％又は２．３５％以下であってもよく、分解後クラブヘッド質量に対するシャフトスリーブ質量及び固定用締結具質量の比は、約３．４％、３．６％又は３．８％以下であってもよく、及び／又は組立後クラブヘッド質量に対するシャフトスリーブ質量及び固定用締結具質量の比は、約３．３％、３．５％又は３．７％以下であってもよい。
【０１７４】
一方、ゴルフクラブヘッド４１１０１は、組立後のクラブヘッドＣＧ垂直距離に関連する組立後のクラブヘッドＣＧを有することができ、シャフトスリーブ４１１１００は、シャフトスリーブＣＧ垂直距離に関連するシャフトスリーブＣＧを有することができる。これらの実施形態では、組立後のクラブヘッドＣＧは、組立後のクラブヘッドＣＧ１０５０（図１）と類似するかもしくは同一であってもよく、組立後のクラブヘッドＣＧ垂直距離は、組立後のクラブヘッドＣＧ垂直距離１０５８（図１）と類似するかもしくは同一であってもよく、シャフトスリーブＣＧはシャフトスリーブＣＧ１０３２（図１）と類似するかもしくは同一であってもよく、及び／又はシャフトスリーブＣＧ垂直距離は、また、クラブヘッド（図１）の下部から測定した、シャフトスリーブＣＧ垂直距離１１５９と類似するかもしくは同一であってもよい。
【０１７５】
多くの実施形態では、シャフトスリーブ４１１１００（図３１）のシャフトスリーブＣＧ垂直距離は、シャフトスリーブ２１１１００（図２３）のシャフトスリーブＣＧ垂直距離よりも約０．０５２インチ（約１．３２ミリメートル）以上、０．０９２インチ（約２．３４ミリメートル）以下だけ少ないものとされてもよい。シャフトスリーブ４１１１００（図３１）のシャフトスリーブＣＧ垂直距離は、シャフトスリーブＣＧ垂直距離１１５９（図１）よりも約０．０４２インチ（約１．０７ミリメートル）以上、０．０６２インチ（約１．５８ミリメートル）以下であってもよい。ゴルフカップリング機構４１１０００のシャフトスリーブＣＧ垂直距離は、ゴルフクラブヘッド４１１０１のソール下端部から約４３．５ミリメートル以上、ゴルフクラブヘッド４１１０１のソール下端部から約４７．０ミリメートル以下であってもよい。いくつかの実施形態では、ゴルフカップリング機構４１１０００のシャフトスリーブＣＧ垂直距離は、ゴルフクラブヘッド４１１０１のソール下端部から約４３．５ミリメートル以上、約４３．６ミリメートル以上、約４３．７ミリメートル以上、約４３．８ミリメートル以上、約４３．９ミリメートル以上、約４４．０ミリメートル以上、約４４．１ミリメートル以上、約４４．２ミリメートル以上、約４４．３ミリメートル以上、約４４．４ミリメートル以上、約４４．５ミリメートル以上、約４４．６ミリメートル以上、約４４．７ミリメートル以上、約４４．８ミリメートル以上、約４４．９ミリメートル以上、約４５．０ミリメートル以上、約４５．１ミリメートル以上、約４５．２ミリメートル以上、約４５．３ミリメートル以上、約４５．４ミリメートル以上、約４５．５ミリメートル以上、約４５．６ミリメートル以上、約４５．７ミリメートル以上、約４５．８ミリメートル以上、約４５．９ミリメートル以上、約４６．０ミリメートル以上、約４６．１ミリメートル以上、約４６．２ミリメートル以上、約４６．３ミリメートル以上、約４６．４ミリメートル以上、約４６．５ミリメートル以上、約４６．６ミリメートル以上、約４６．７ミリメートル以上、約４６．８ミリメートル以上、約４６．９ミリメートル、又は約４７．０ミリメートル以上であってもよい。いくつかの実施形態では、ゴルフカップリング機構４１１０００のシャフトスリーブＣＧ垂直距離は、ゴルフクラブヘッド４１１０１のソール下端部から約４３．５ミリメートル以下、約４３．６ミリメートル以下、約４３．７ミリメートル以下、約４３．８ミリメートル以下、約４３．９ミリメートル以下、約４４．０ミリメートル以下、約４４．１ミリメートル以下、約４４．２ミリメートル以下、約４４．３ミリメートル以下、約４４．４ミリメートル以下、約４４．５ミリメートル以下、約４４．６ミリメートル以下、約４４．７ミリメートル以下、約４４．８ミリメートル以下、約４４．９ミリメートル以下、約４５．０ミリメートル以下、約４５．１ミリメートル以下、約４５．２ミリメートル以下、約４５．３ミリメートル以下、約４５．４ミリメートル以下、約４５．５ミリメートル以下、約４５．６ミリメートル以下、約４５．７ミリメートル以下、約４５．８ミリメートル以下、約４５．９ミリメートル以下、約４６．０ミリメートル以下、約４６．１ミリメートル以下、約４６．２ミリメートル以下、約４６．３ミリメートル以下、約４６．４ミリメートル以下、約４６．５ミリメートル以下、約４６．６ミリメートル以下、約４６．７ミリメートル以下、約４６．８ミリメートル以下、約４６．９ミリメートル以下、又は約４７．０ミリメートル以下であってもよい。ゴルフカップリング機構４１１０００のシャフトスリーブＣＧ垂直距離は、ゴルフクラブヘッド４１１０１のソール下端部から４５．３ミリメートルであってもよい。ソール下端部は、ソール下端部１０１４１（図１）と類似するか又は同一であってもよい。
【０１７６】
いくつかの実施形態では、ゴルフカップリング機構４１１０００のシャフトスリーブＣＧ垂直距離は、ゴルフクラブヘッド４１１０１のソール下端部から約３２．０ミリメートル以上、約３２．１ミリメートル以上、約３２．３ミリメートル以上、約３２．４ミリメートル以上、約３２．５ミリメートル以上、約３２．６ミリメートル以上、約３２．７ミリメートル以上、約３２．８ミリメートル以上、約３２．９ミリメートル以上、約３３．０ミリメートル以上、約３３．１ミリメートル以上、約３３．２ミリメートル以上、約３３．３ミリメートル以上、約３３．４ミリメートル以上、約３３．５ミリメートル以上、約３３．６ミリメートル以上、約３３．７ミリメートル以上、約３３．８ミリメートル以上、約３３．９ミリメートル以上、約３４．０ミリメートル以上、約３４．１ミリメートル以上、約３４．２ミリメートル以上、約３４．３ミリメートル以上、約３４．４ミリメートル、又は約３４．５ミリメートル以上であってもよい。ゴルフカップリング機構４１１０００のシャフトスリーブＣＧ垂直距離は、ゴルフクラブヘッド４１１０１のソール下端部から約３２．０ミリメートル以下、約３２．１ミリメートル以下、約３２．３ミリメートル以下、約３２．４ミリメートル以下、約３２．５ミリメートル以下、約３２．６ミリメートル以下、約３２．７ミリメートル以下、約３２．８ミリメートル以下、約３２．９ミリメートル以下、約３３．０ミリメートル以下、約３３．１ミリメートル以下、約３３．２ミリメートル以下、約３３．３ミリメートル以下、約３３．４ミリメートル以下、約３３．５ミリメートル以下、約３３．６ミリメートル以下、約３３．７ミリメートル以下、約３３．８ミリメートル以下、約３３．９ミリメートル以下、約３４．０ミリメートル以下、約３４．１ミリメートル以下、約３４．２ミリメートル以下、約３４．３ミリメートル以下、約３４．４ミリメートル以下、又は約３４．５ミリメートル以下であってもよい。ゴルフカップリング機構のシャフトスリーブＣＧ垂直距離は、ゴルフクラブヘッド４１１０１のソール下端部から３３．６ミリメートルであってもよい。
【０１７７】
先の図面を参照すると、図３６は、一実施形態による方法４７０００のフローチャートを示す。多くの実施形態では、方法４７０００は、ゴルフクラブヘッドの１つ以上の部品のゴルフクラブヘッドの製造方法を有してもよい。ゴルフクラブヘッドは、ゴルフクラブヘッド４１１０１（図２９）と類似するか又は同一であってもよい。
【０１７８】
方法４７０００は、シャフトスリーブを用意する作業４７００１を有してもよい。シャフトスリーブは、シャフトスリーブ４１１１００（図３０）と類似するか又は同一であってもよい。図３６は、図３６の実施形態による例示的な作業４７００１を示す。
【０１７９】
例えば、図３６において、作業４７００１は、シャフトスリーブ本体を用意（例えば、製造）する作業４８００１を有してもよい。シャフトスリーブ本体はシャフトスリーブ本体４２１０３（図３７）と類似するか又は同一であってもよい。
【０１８０】
更に、作業４７００２は、シャフトスリーブキャップを用意（例えば、製造）する作業４８００２を有してもよい。シャフトスリーブキャップは、シャフトスリーブキャップ４２１０４（図３８）と類似0するか又は同一であってもよい。
【０１８１】
ここで再度図３６を参照すると、方法４７０００は、ゴルフクラブヘッドを用意（例えば、製造）する作業４７００２を有してもよい。ゴルフクラブヘッドは、ゴルフクラブヘッド４１１０１（図２９）と類似するか又は同一であってもよい。いくつかの実施形態では、作業４７００１は、作業４７００２の前及びその逆で実施されてもよい。他の実施形態では、作業４７００１と作業４７００２は、ほぼ同時に実施されてもよい。
【０１８２】
更に、方法４７０００は、シャフトスリーブをゴルフクラブヘッドのホーゼル穴に挿入する作業４７００３を有してもよい。ホーゼル穴は、ゴルフクラブヘッド４１１０１（図２９）に関して上述したホーゼル穴と類似するか又は同一であってもよい。
【０１８３】
また、方法４７００は、ゴルフクラブシャフトをシャフト穴に挿入する作業４７００４を有してもよい。ゴルフクラブシャフトはゴルフクラブシャフト４１１０２（図２９）と類似するか又は同一であってもよく、及びシャフト穴はシャト穴４３３１２０（図３１）と類似するか又は同一であってもよい。
【０１８４】
一方、方法４７０００は、シャフトスリーブキャップをシャフト穴に挿入する作業４７００５を有してもよい。いくつかの実施形態では、作業４７００４は、作業４７００５の前に又はその逆で実施されてもよい。他の実施形態では、作業４７００４と作業４７００５は、ほぼ同時に実施されてもよい。更なる実施形態では、作業４７００３は、作業４７００４及び／又は作業４７００５の前並びにその逆で実施されてもよい。多くの実施形態では、作業４７００１〜４７００３の１つ以上は、作業４７００４〜４７００５の１つ以上の前に、又はその逆で（図３７）実施されてもよい。
【０１８５】
更にまた、方法４７０００は、シャフトスリーブを締結具によってゴルフクラブヘッドのホーゼルに固定する作業４７００６を有してもよい。ホーゼルは、ゴルフクラブヘッド４１１０１（図３１）に関して上述したホーゼルと類似するか又は同一であってもよく、及び締結具は、ゴルフクラブヘッド２１１０１（図３１）に関して上述した締結具と類似するか又は同一であってもよい。
【０１８６】
本明細書では、ゴルフカップリング機構及び関連する方法を特定の実施形態を参照して記載してきたが、本開示の趣旨又は範囲から逸脱することなく種々の変更形態がなされてもよい。一例として、スリーブカプラセット３１１０（図３〜図７、図１０、図１４〜図１７）、スリーブカプラセット１２１１０（図１２）、スリーブカプラセット２２３１１０（図２２）及び／又はスリーブカプラセット４１１１００が、２つのスリーブカプラのみを有し得る実施形態、並びにレシーバカプラセット３２１０（図３〜図４、図８〜図９、図１１、図１４〜図１７）、レシーバカプラセット１３２１０（図１３）、シャフトレシーバ２１３２００（図２１）のレシーバカプラセット及び／又はシャフトレシーバ４１３２００（図２９）のレシーバカプラセットが、２つのレシーバカプラのみを有し得る実施形態があってもよい。このような実施形態では、シャフトスリーブとシャフトレシーバとの間において２つの構成のみが可能であってもよく、ゴルフカプラセットは２つのライ角又は２つのロフト角間における調節を可能にしてもよい。当然のことながら、３つ、５つ、６つ、７つ、８つ、又はそれを超えるスリーブカプラを有するスリーブカプラセットと、３つ、５つ、６つ、７つ、８つ又はそれを超えるレシーバカプラを有するレシーバカプラセットと、を有し、これに対応して、可能なライ角とロフト角との組み合わせの数が増加する実施形態もあってもよい。
【０１８７】
このような変更形態及びその他の更なる例を前述の説明において記載してきた。種々の図の特徴の１つ以上を有する異なる実施形態の他の置換形態も同様に企図される。したがって、本明細書、本明細書の特許請求の範囲及び図面は本開示の範囲の例示を意図するものであり、限定を意図するものではない。本出願の範囲は添付の特許請求の範囲によって要求される程度にのみ限定されるものとする。
【０１８８】
本明細書中に記載されるゴルフカップリング機構及び関連する方法は種々の実施形態において実施してもよく、これらの実施形態のうちの特定のものに関する前述の説明は、可能なあらゆる実施形態の完全な説明を必ずしも意味するものではない。むしろ、図面の詳細な説明及び図面自体が少なくとも１つの好適な実施形態を開示するとともに、代替的な実施形態を開示する場合がある。
【０１８９】
加えて、特定の実施形態に関する利益、他の利点及び課題の解決策を記載してきた。しかしながら、任意の利益、利点又は解決策が生じるか又はより顕著になる原因となり得る利益、利点、課題の解決策及び１つもしくは複数のあらゆる要素は、このような利益、利点、解決策又は要素がこのような特許請求の範囲において特に明示されない限り、特許請求の範囲の一部又は全部の重要である必要な又は必須の特徴又は要素として解釈されるべきではない。
【０１９０】
ゴルフのルールはしばしば変更される場合がある（例えば、全米ゴルフ協会（ＵＳＧＡ）、英国ゴルフ協会（Ｒ＆Ａ）等など、ゴルフ規格協会及び／又は運営団体によって新たな規定が採用される場合があるか、又は古いルールが排除もしくは変更される場合がある）ため、本明細書中に記載される装置、方法及び製造物品に関連するゴルフ用具は任意の特定の時点のゴルフのルールに適合するか又は適合しない場合がある。したがって、本明細書中に記載される装置、方法及び製造物品に関連するゴルフ用具は、適合するもしくは適合しないゴルフ用具として広告され、販売に供され、及び／又は販売されてもよい。本明細書中に記載される装置、方法及び製造物品はこの点に関して限定されるものではない。
【０１９１】
上記例はドライバー型ゴルフクラブに関連して記載されている場合があるが、本明細書中に記載される装置、方法及び製造物品は、フェアウェイウッド型ゴルフクラブ、ハイブリッド型ゴルフクラブ、アイアン型ゴルフクラブ、ウェッジ型ゴルフクラブ又はパター型ゴルフクラブなどの他の種類のゴルフクラブに適用可能であってもよい。或いは、本明細書中に記載される装置、方法及び製造物品は、ホッケースティック、テニスラケット、釣竿、スキーポール等などの他の種類のスポーツ用具に適用可能であってもよい。
【０１９２】
更に、本明細書中に開示される実施形態及び限定は、その実施形態及び／又は限定が、（１）請求項において明示的に特許請求されておらず、（２）均等論の下で請求項中の明示的な要素及び／もしくは限定の潜在的な均等物である場合、公有の原則（ｄｏｃｔｒｉｎｅ  ｏｆ  ｄｅｄｉｃａｔｉｏｎ）の下で公共に供されることはない。
【図１】
2019205850.tif 000007
【図２】
2019205850.tif 000008
【図３】
2019205850.tif 000009
【図４】
2019205850.tif 000010
【図５】
2019205850.tif 000011
【図６】
2019205850.tif 000012
【図７】
2019205850.tif 000013
【図８】
2019205850.tif 000014
【図９】
2019205850.tif 000015
【図１０】
2019205850.tif 000016
【図１１】
2019205850.tif 000017
【図１２】
2019205850.tif 000018
【図１３】
2019205850.tif 000019
【図１４】
2019205850.tif 000020
【図１５】
2019205850.tif 000021
【図１６】
2019205850.tif 000022
【図１７】
2019205850.tif 000023
【図１８】
2019205850.tif 000024
【図１９】
2019205850.tif 000025
【図２０】
2019205850.tif 000026
【図２１】
2019205850.tif 000027
【図２２】
2019205850.tif 000028
【図２３】
2019205850.tif 000029
【図２４】
2019205850.tif 000030
【図２５】
2019205850.tif 000031
【図２６】
2019205850.tif 000032
【図２７】
2019205850.tif 000033
【図２８】
2019205850.tif 000034
【図２９】
2019205850.tif 000035
【図３０】
2019205850.tif 000036
【図３１】
2019205850.tif 000037
【図３２】
2019205850.tif 000038
【図３３Ａ】
2019205850.tif 000039
【図３３Ｂ】
2019205850.tif 000040
【図３４】
2019205850.tif 000041
【図３５Ａ】
2019205850.tif 000042
【図３５Ｂ】
2019205850.tif 000043
【図３６】
2019205850.tif 000044
【図３７】
2019205850.tif 000045
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
ゴルフクラブヘッド及びゴルフクラブシャフトのためのゴルフカップリング機構であって、
前記ゴルフクラブシャフトの端部とホーゼルとに結合されるように構成されたシャフトスリーブを備え、
前記シャフトスリーブは、
前記ゴルフクラブシャフトの前記端部を受け入れるように構成されたシャフト穴と、
スリーブ外壁を有するシャフトスリーブ本体と、
前記シャフトスリーブと結合されるように構成されたシャフトスリーブキャップと、
前記スリーブ外壁から突出する第１のカプラと、
前記スリーブ外壁から突出する第２のカプラと、
前記スリーブ外壁から突出する第３のカプラと、
前記スリーブ外壁から突出する第４のカプラと、を備え、
前記第１のカプラは、前記第１のカプラ全体に亘って湾曲した第１の弓状面を有し、
前記第２のカプラは、前記第２のカプラ全体に亘って湾曲した第２の弓状面を有し、
前記第３のカプラは、前記第３のカプラ全体に亘って湾曲した第３の弓状面を有し、
前記第４のカプラは、前記第４のカプラ全体に亘って湾曲した第４の弓状面を有し、
前記シャフトスリーブは、
前記スリーブ外壁から突出し、その全体に亘って湾曲した第５の弓状面を有する第５のカプラと、
前記スリーブ外壁から突出し、その全体に亘って湾曲した第６の弓状面を有する第６のカプラと、をさらに備える、
ゴルフカップリング機構。
【請求項２】
前記シャフトスリーブは、
前記スリーブ外壁から突出し、その全体に亘って湾曲した第７の弓状面を有する第７のカプラと、
前記スリーブ外壁から突出し、その全体に亘って湾曲した第８の弓状面を有する第８のカプラと、をさらに備える、請求項１に記載のゴルフカップリング機構。
【請求項３】
前記第１の弓状面から前記第８の弓状面は、前記ゴルフクラブヘッドに対する前記シャフトスリーブの回転を制限するように構成されている、請求項２に記載のゴルフカップリング機構。
【請求項４】
前記第１のカプラから前記第８のカプラは、非対称の輪郭である、請求項２又は３に記載のゴルフカップリング機構。
【請求項５】
前記第１のカプラから前記第８のカプラは、カプラ長さを有しており、
前記カプラ長さは、約０．２６０インチ以上、約０．３８インチ以下である、請求項２〜４のいずれか一項に記載のゴルフカップリング機構。
【請求項６】
前記第１、第２、第３、第４、第５、第６、第７及び第８カプラは、前記スリーブ外壁の上部部分からスリーブ上端部に向かって突出している、請求項２〜５のいずれか一項に記載のゴルフカップリング機構。
【請求項７】
前記シャフト穴は、複数のエッチングチャネルを有している、請求項２〜６のいずれか一項に記載のゴルフカップリング機構。
【請求項８】
前記シャフトスリーブキャップは、突出部を有しており、
前記シャフトスリーブキャップは、少なくとも１つのスリット及びキャップ壁を有しており、
前記少なくとも１つのスリットは、前記突出部及び前記キャップ壁の一部に位置している、請求項２〜７のいずれか一項に記載のゴルフカップリング機構。
【請求項９】
前記シャフトスリーブキャップは、前記シャフトスリーブ本体に着脱可能に結合されており、
前記シャフトスリーブキャップは、ソフトポリマープラスチックを含んでおり、前記ソフトポリマープラスチックは、ショアＤデュロメータスケールで５５以下であり得る、請求項２〜８のいずれか一項に記載のゴルフカップリング機構。
【請求項１０】
ゴルフクラブヘッド及びゴルフクラブシャフトのためのゴルフカップリング機構であって、
前記ゴルフクラブシャフトの端部とホーゼルとに結合されるように構成されたシャフトスリーブと、
前記シャフトスリーブを受け入れるように構成された前記ゴルフクラブヘッドのシャフトレシーバと、を備え、
前記シャフトスリーブは、
前記ゴルフクラブシャフトの前記端部を受け入れるように構成されたシャフト穴と、
スリーブ外壁を有するシャフトスリーブ本体と、
前記シャフトスリーブと結合されるように構成されたシャフトスリーブキャップと、
前記スリーブ外壁から突出する第１のカプラと、
前記スリーブ外壁から突出する第２のカプラと、
前記スリーブ外壁から突出する第３のカプラと、
前記スリーブ外壁から突出する第４のカプラと、を備え、
前記第１のカプラは、前記第１のカプラ全体に亘って湾曲した第１の弓状面を有し、
前記第２のカプラは、前記第２のカプラ全体に亘って湾曲した第２の弓状面を有し、
前記第３のカプラは、前記第３のカプラ全体に亘って湾曲した第３の弓状面を有し、
前記第４のカプラは、前記第４のカプラ全体に亘って湾曲した第４の弓状面を有し、
前記シャフトレシーバは、
スリーブ内壁に凹設された第５のカプラと、
前記スリーブ内壁に凹設された第６のカプラと、
前記スリーブ内壁に凹設された第７のカプラと、
前記スリーブ内壁に凹設された第８のカプラと、を備え、
前記第５のカプラは、前記第５のカプラ全体に亘って湾曲した第５の弓状面を有し、
前記第６のカプラは、前記第６のカプラ全体に亘って湾曲した第６の弓状面を有し、
前記第７のカプラは、前記第７のカプラ全体に亘って湾曲した第７の弓状面を有し、
前記第８のカプラは、前記第８のカプラ全体に亘って湾曲した第８の弓状面を有し、
前記シャフトスリーブは、
前記スリーブ外壁から突出し、その全体に亘って湾曲する第９の弓状面を有する第９のカプラと、
前記スリーブ外壁から突出し、その全体に亘って湾曲する第１０の弓状面を有する第１０のカプラと、をさらに備え、
前記シャフトレシーバは、
前記スリーブ内壁に凹設され、その全体に亘って湾曲する第１１の弓状面を有する第１１のカプラと、
前記スリーブ内壁に凹設され、その全体に亘って湾曲する第１２の弓状面を有する第１２のカプラと、をさらに備える、
ゴルフカップリング機構。
【請求項１１】
前記シャフトスリーブは、
前記スリーブ外壁から突出し、その全体に亘って湾曲する第１３の弓状面を有する第１３のカプラと、
前記スリーブ外壁から突出し、その全体に亘って湾曲する第１４の弓状面を有する第１４のカプラと、をさらに備え、
前記シャフトレシーバは、
前記スリーブ内壁に凹設され、その全体に亘って湾曲する第１５の弓状面を有する第１５のカプラと、
前記スリーブ内壁に凹設され、その全体に亘って湾曲する第１６の弓状面を有する第１６のカプラと、をさらに備える、請求項１０に記載のゴルフカップリング機構。
【請求項１２】
前記第１、第２、第３、第４、第９、第１０、第１３及び第１４のカプラは、前記シャフトスリーブ上にカプラセットを形成し、
前記第５、第６、第７、第８、第１１、第１２、第１５及び第１６のカプラは、前記シャフトレシーバ上にレシーバカプラセットを形成する、請求項１１に記載のゴルフカップリング機構。
【請求項１３】
前記シャフトレシーバの前記レシーバカプラセットは、前記シャフトスリーブの前記カプラセットに係合し、前記ゴルフクラブヘッドに対する前記シャフトスリーブの回転を制限するように構成されている、請求項１２に記載のゴルフカップリング機構。
【請求項１４】
前記カプラセットは、前記スリーブ外壁の上部部分からスリーブ上端部に向かって突出している、請求項１２又は１３に記載のゴルフカップリング機構。
【請求項１５】
前記レシーバカプラセットは、レシーバ内壁の上部部分に凹設されている、請求項１２〜１４のいずれか一項に記載のゴルフカップリング機構。
【請求項１６】
前記シャフト穴は、複数のエッチングチャネルを有する、請求項１１〜１５のいずれか一項に記載のゴルフカップリング機構。
【請求項１７】
前記シャフトスリーブキャップは、突出部を有しており、
前記シャフトスリーブキャップは、少なくとも１つのスリット及びキャップ壁を有しており、
前記少なくとも１つのスリットは、前記突出部及び前記キャップ壁の一部に位置している、請求項１１〜１６のいずれか一項に記載のゴルフカップリング機構。
【請求項１８】
前記シャフトスリーブキャップは、前記シャフトスリーブ本体に着脱可能に結合されており、
前記シャフトスリーブキャップは、ソフトポリマープラスチックを含んでおり、前記ソフトポリマープラスチックは、ショアＤデュロメータスケールで５５以下であり得る、請求項１１〜１７のいずれか一項に記載のゴルフカップリング機構。
【外国語明細書】
2019205850000001.pdf
2019205850000002.pdf
2019205850000003.pdf
2019205850000004.pdf